(57)【要約】  本願は間欠受信用の方法及び装置を提供し、該方法は、端末装置は複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定し、前記少なくとも１つのターゲットＤＲＸ指示信号は前記少なくとも１つのターゲットＤＲＸ指示信号を受信した後の１つのＤＲＸサイクル内にターゲット挙動を実行するように前記端末装置に指示することに用いられることと、前記端末装置は、前記少なくとも１つのターゲットＤＲＸ指示信号及び／又は前記少なくとも１つのターゲットＤＲＸ指示信号の占有する時間周波数リソース位置に基づき、ネットワーク装置が送信したＤＲＸ指示信号を検出することと、を含む。本願に係る間欠受信用の方法によれば、端末装置の消費電力を低減させることができる。
2020519113.tif 000002
【特許請求の範囲】
【請求項１】
端末装置は複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定し、前記少なくとも１つのターゲットＤＲＸ指示信号は前記少なくとも１つのターゲットＤＲＸ指示信号を受信した後の１つのＤＲＸサイクル内にターゲット挙動を実行するように前記端末装置に指示することに用いられることと、
前記端末装置は前記少なくとも１つのターゲットＤＲＸ指示信号及び／又は前記少なくとも１つのターゲットＤＲＸ指示信号の占有する時間周波数リソース位置に基づき、ネットワーク装置が送信したＤＲＸ指示信号を検出することと、を含むことを特徴とする間欠受信用の方法。
【請求項２】
前記複数の間欠受信ＤＲＸ指示信号のうちの少なくとも１つのターゲットＤＲＸ指示信号を確定することは、
前記端末装置を識別するための第１特徴識別情報に基づき、前記少なくとも１つのターゲットＤＲＸ指示信号を確定することを含むことを特徴とする請求項１に記載の方法。
【請求項３】
前記第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含むことを特徴とする請求項２に記載の方法。
【請求項４】
前記複数の間欠受信ＤＲＸ指示信号のうちの少なくとも１つのターゲットＤＲＸ指示信号を確定することは、
前記端末装置が位置するセルの識別子に基づき、前記少なくとも１つのターゲットＤＲＸ指示信号を確定することを含むことを特徴とする請求項１〜３のいずれか一項に記載の方法。
【請求項５】
前記端末装置が前記少なくとも１つのターゲットＤＲＸ指示信号の占有する時間周波数リソース位置を確定することを更に含むことを特徴とする請求項２〜４のいずれか一項に記載の方法。
【請求項６】
前記少なくとも１つのターゲットＤＲＸ指示信号の占有する時間周波数リソース位置を確定することは、
前記端末装置を識別するための第２特徴識別情報に基づき、前記少なくとも１つのターゲットＤＲＸ指示信号の占有する時間周波数リソース位置を確定することを含むことを特徴とする請求項１又は５に記載の方法。
【請求項７】
前記第２特徴情報は、前記端末装置の識別子、前記端末装置が属する端末装置グループの識別子、前記端末装置のカバレッジ拡張等級及び前記端末装置のネットワークアクセス等級のうちの少なくとも１種を含むことを特徴とする請求項６に記載の方法。
【請求項８】
前記少なくとも１つのターゲットＤＲＸ指示信号の占有する時間周波数リソース位置を確定することは、
前記端末装置が位置するセルの識別子に基づき、前記少なくとも１つのターゲットＤＲＸ指示信号の占有する時間周波数リソース位置を確定することを含むことを特徴とする請求項１又は５又は６又は７に記載の方法。
【請求項９】
前記ネットワーク装置が送信した設定情報を受信することを更に含み、
前記複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定することは、
前記設定情報に基づき、前記少なくとも１つのターゲットＤＲＸ指示信号及び／又は前記少なくとも１つのターゲットＤＲＸ指示信号の占有する時間周波数リソース位置を確定することを含むことを特徴とする請求項１に記載の方法。
【請求項１０】
前記ネットワーク装置が送信した設定情報を受信することは、
前記ネットワーク装置が送信した、前記設定情報を含む無線リソース制御ＲＲＣシグナリングを受信することを含むことを特徴とする請求項９に記載の方法。
【請求項１１】
前記設定情報は、前記端末装置の識別子、前記端末装置が属する端末装置グループの識別子、前記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスのうちの１種を含むことを特徴とする請求項９又は１０に記載の方法。
【請求項１２】
ネットワーク装置は複数の間欠受信ＤＲＸ指示信号のうちの少なくとも１つのターゲット間欠受信ＤＲＸ指示信号及び／又は前記少なくとも１つのターゲットＤＲＸ指示信号の占有する時間周波数リソース位置を確定し、前記少なくとも１つのターゲットＤＲＸ指示信号は前記少なくとも１つのターゲットＤＲＸ指示信号を受信した後の１つのＤＲＸサイクル内にターゲット挙動を実行するように端末装置に指示することに用いられることと、
前記ネットワーク装置は前記少なくとも１つのターゲットＤＲＸ指示信号及び／又は前記少なくとも１つのターゲットＤＲＸ指示信号の占有する時間周波数リソース位置に基づき、前記端末装置に前記少なくとも１つのターゲットＤＲＸ指示信号のうちの１つのターゲットＤＲＸ指示信号を送信することと、を含むことを特徴とする間欠受信用の方法。
【請求項１３】
前記複数の間欠受信ＤＲＸ指示信号のうちの少なくとも１つのターゲットＤＲＸ指示信号を確定することは、
前記端末装置を識別するための第１特徴識別情報に基づき、前記少なくとも１つのＤＲＸ指示信号を確定することを含むことを特徴とする請求項１２に記載の方法。
【請求項１４】
前記第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含むことを特徴とする請求項１３に記載の方法。
【請求項１５】
前記複数の間欠受信ＤＲＸ指示信号のうちの少なくとも１つのターゲットＤＲＸ指示信号を確定することは、
前記端末装置が位置するセルの識別子に基づき、前記少なくとも１つのターゲットＤＲＸ指示信号を確定することを含むことを特徴とする請求項１２〜１４のいずれか一項に記載の方法。
【請求項１６】
前記ネットワーク装置が前記少なくとも１つのターゲットＤＲＸ指示信号の占有する時間周波数リソース位置を確定することを更に含むことを特徴とする請求項１３〜１５のいずれか一項に記載の方法。
【請求項１７】
前記少なくとも１つのターゲットＤＲＸ指示信号の占有する時間周波数リソース位置を確定することは、
前記端末装置を識別するための第２特徴識別情報に基づき、前記少なくとも１つのターゲットＤＲＸ指示信号の占有する時間周波数リソース位置を確定することを含むことを特徴とする請求項１２又は１６に記載の方法。
【請求項１８】
前記第２特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含むことを特徴とする請求項１７に記載の方法。
【請求項１９】
前記少なくとも１つのターゲットＤＲＸ指示信号の占有する時間周波数リソース位置を確定することは、
前記端末装置が位置するセルの識別子に基づき、前記少なくとも１つのターゲットＤＲＸ指示信号の占有する時間周波数リソース位置を確定することを含むことを特徴とする請求項１２又は１６又は１７又は１８に記載の方法。
【請求項２０】
前記ネットワーク装置は設定情報を確定し、前記設定情報は前記端末装置が前記少なくとも１つのターゲットＤＲＸ指示情報及び／又は前記少なくとも１つのターゲットＤＲＸ指示信号の占有する時間周波数リソース位置を確定することに用いられることと、
前記ネットワーク装置は前記端末装置に前記設定情報を送信することと、を更に含むことを特徴とする請求項１２に記載の方法。
【請求項２１】
前記端末装置に設定情報を送信することは、
前記設定情報を含む無線リソース制御ＲＲＣシグナリングを前記端末装置に送信することを含むことを特徴とする請求項２０に記載の方法。
【請求項２２】
前記設定情報は、前記端末装置の識別子、前記端末装置が属する端末装置グループの識別子、前記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスのうちの１種を含むことを特徴とする請求項２０又は２１に記載の方法。
【請求項２３】
端末装置であって、送受信モジュール及び処理モジュールを備え、
前記処理モジュールは、複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定することに用いられ、前記少なくとも１つのターゲットＤＲＸ指示信号は、前記送受信モジュールが前記少なくとも１つのターゲットＤＲＸ指示信号を受信した後の１つのＤＲＸサイクル内にターゲット挙動を実行するように前記処理モジュールに指示することに用いられ、
前記処理モジュールは更に、前記少なくとも１つのターゲットＤＲＸ指示信号及び／又は前記少なくとも１つのターゲットＤＲＸ指示信号の占有する時間周波数リソース位置に基づき、ネットワーク装置が送信したＤＲＸ指示信号を検出することに用いられることを特徴とする端末装置。
【請求項２４】
前記処理モジュールは具体的に、
前記端末装置を識別するための第１特徴識別情報に基づき、前記少なくとも１つのターゲットＤＲＸ指示信号を確定することに用いられることを特徴とする請求項２３に記載の端末装置。
【請求項２５】
前記第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含むことを特徴とする請求項２４に記載の端末装置。
【請求項２６】
前記処理モジュールは具体的に、
前記端末装置が位置するセルの識別子に基づき、前記少なくとも１つのターゲットＤＲＸ指示信号を確定することに用いられることを特徴とする請求項２３〜２５のいずれか一項に記載の端末装置。
【請求項２７】
前記処理モジュールは更に、前記少なくとも１つのターゲットＤＲＸ指示信号の占有する時間周波数リソース位置を確定することに用いられることを特徴とする請求項２４〜２６のいずれか一項に記載の端末装置。
【請求項２８】
前記処理モジュールは具体的に、
前記端末装置を識別するための第２特徴識別情報に基づき、前記少なくとも１つのターゲットＤＲＸ指示信号の占有する時間周波数リソース位置を確定することに用いられることを特徴とする請求項２３又は２７に記載の端末装置。
【請求項２９】
前記第２特徴情報は、前記端末装置の識別子、前記端末装置が属する端末装置グループの識別子、前記端末装置のカバレッジ拡張等級及び前記端末装置のネットワークアクセス等級のうちの少なくとも１種を含むことを特徴とする請求項２８に記載の端末装置。
【請求項３０】
前記処理モジュールは具体的に、
前記端末装置が位置するセルの識別子に基づき、前記少なくとも１つのターゲットＤＲＸ指示信号の占有する時間周波数リソース位置を確定することに用いられることを特徴とする請求項２３又は２７又は２８又は２９に記載の端末装置。
【請求項３１】
前記送受信モジュールは更に、前記ネットワーク装置が送信した設定情報を受信することに用いられ、
前記処理モジュールは具体的に、前記設定情報に基づき、前記少なくとも１つのターゲットＤＲＸ指示信号及び／又は前記少なくとも１つのターゲットＤＲＸ指示信号の占有する時間周波数リソース位置を確定することに用いられることを特徴とする請求項２３に記載の端末装置。
【請求項３２】
前記送受信モジュールは具体的に、前記ネットワーク装置が送信した、前記設定情報を含む無線リソース制御ＲＲＣシグナリングを受信することに用いられることを特徴とする請求項３１に記載の端末装置。
【請求項３３】
前記設定情報は、前記端末装置の識別子、前記端末装置が属する端末装置グループの識別子、前記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスのうちの１種を含むことを特徴とする請求項３１又は３２に記載の端末装置。
【請求項３４】
複数の間欠受信ＤＲＸ指示信号のうちの少なくとも１つのターゲット間欠受信ＤＲＸ指示信号及び／又は前記少なくとも１つのターゲットＤＲＸ指示信号の占有する時間周波数リソース位置を確定することに用いられ、前記少なくとも１つのターゲットＤＲＸ指示信号は前記少なくとも１つのターゲットＤＲＸ指示信号を受信した後の１つのＤＲＸサイクル内にターゲット挙動を実行するように端末装置に指示することに用いられる処理モジュールと、
前記少なくとも１つのターゲットＤＲＸ指示信号及び／又は前記少なくとも１つのターゲットＤＲＸ指示信号の占有する時間周波数リソース位置に基づき、前記端末装置に前記少なくとも１つのターゲットＤＲＸ指示信号のうちの１つのターゲットＤＲＸ指示信号を送信することに用いられる送受信モジュールと、を備えることを特徴とするネットワーク装置。
【請求項３５】
前記処理モジュールは具体的に、
前記端末装置を識別するための第１特徴識別情報に基づき、前記少なくとも１つのＤＲＸ指示信号を確定することに用いられることを特徴とする請求項３４に記載のネットワーク装置。
【請求項３６】
前記第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含むことを特徴とする請求項３５に記載のネットワーク装置。
【請求項３７】
前記処理モジュールは具体的に、
前記端末装置が位置するセルの識別子に基づき、前記少なくとも１つのターゲットＤＲＸ指示信号を確定することに用いられることを特徴とする請求項３４〜３６のいずれか一項に記載のネットワーク装置。
【請求項３８】
前記処理モジュールは更に、前記少なくとも１つのターゲットＤＲＸ指示信号の占有する時間周波数リソース位置を確定することに用いられることを特徴とする請求項３５〜３７のいずれか一項に記載のネットワーク装置。
【請求項３９】
前記処理モジュールは具体的に、
前記端末装置を識別するための第２特徴識別情報に基づき、前記少なくとも１つのターゲットＤＲＸ指示信号の占有する時間周波数リソース位置を確定することに用いられることを特徴とする請求項３４又は３８に記載のネットワーク装置。
【請求項４０】
前記第２特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含むことを特徴とする請求項３９に記載のネットワーク装置。
【請求項４１】
前記処理モジュールは具体的に、
前記端末装置が位置するセルの識別子に基づき、前記少なくとも１つのターゲットＤＲＸ指示信号の占有する時間周波数リソース位置を確定することに用いられることを特徴とする請求項３４又は３８又は３９又は４０に記載のネットワーク装置。
【請求項４２】
前記処理モジュールは更に、設定情報を確定することに用いられ、前記設定情報は前記端末装置が前記少なくとも１つのターゲットＤＲＸ指示情報及び／又は前記少なくとも１つのターゲットＤＲＸ指示信号の占有する時間周波数リソース位置を確定することに用いられ、
前記送受信モジュールは更に、前記端末装置に前記設定情報を送信することに用いられることを特徴とする請求項３４に記載のネットワーク装置。
【請求項４３】
前記送受信モジュールは具体的に、
前記設定情報を含む無線リソース制御ＲＲＣシグナリングを前記端末装置に送信することに用いられることを特徴とする請求項４２に記載のネットワーク装置。
【請求項４４】
前記設定情報は、前記端末装置の識別子、前記端末装置が属する端末装置グループの識別子、前記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスのうちの１種を含むことを特徴とする請求項４２又は４３に記載のネットワーク装置。
【発明の詳細な説明】
【技術分野】
【０００１】
本願の実施例は通信分野に関し、より具体的に、間欠受信用の方法及び装置に関する。
【背景技術】
【０００２】
端末装置の消費電力を低減させるために、ロングタームエボリューション（Ｌｏｎｇ  Ｔｅｒｍ  Ｅｖｏｌｕｔｉｏｎ、ＬＴＥ）システムに間欠受信（Ｄｉｓｃｏｎｔｉｎｕｏｕｓ  Ｒｅｃｅｐｔｉｏｎ、ＤＲＸ）伝送メカニズムが導入されており、データ伝送がない時、端末装置は物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）の受信を停止することにより消費電力を低減させて、電池の使用時間を増やすことができる。ＤＲＸの基本的なメカニズムは無線リソース制御（Ｒａｄｉｏ  Ｒｅｓｏｕｒｃｅ  Ｃｏｎｔｒｏｌ、ＲＲＣ）接続（Ｃｏｎｎｅｃｔｅｄ）状態にある端末装置に１つのＤＲＸサイクル（Ｃｙｃｌｅ）を設定することである。ＤＲＸ  Ｃｙｃｌｅはオンデュレーション期間（Ｏｎ  Ｄｕｒａｔｉｏｎ）とスリープ期間（Ｏｐｐｏｒｔｕｎｉｔｙ  ｆｏｒ  ＤＲＸ）からなり、Ｏｎ  Ｄｕｒａｔｉｏｎ期間内に、端末装置はＰＤＣＣＨをモニタリングして受信し、Ｏｐｐｏｒｔｕｎｉｔｙ  ｆｏｒ  ＤＲＸ期間内に、端末装置は消費電力を減少させるようにＰＤＣＣＨを受信しない。
【０００３】
ネットワーク側は端末装置にＤＲＸサイクルを設定したが、端末装置は周期的に現れるＯｎ  Ｄｕｒａｔｉｏｎ期間内に機会的にスケジューリングされるだけであり、ひいては端末装置のサービス負荷が非常に低い場合、端末装置は少数のＤＲＸ  Ｃｙｃｌｅ内にしかスケジューリングされない。従って、端末装置がすべてのＤＲＸ  Ｃｙｃｌｅ内のＯｎ  Ｄｕｒａｔｉｏｎ期間内にＰＤＣＣＨをモニタリングすることは必要とせず、不必要な消費電力を招いてしまう。
【０００４】
従って、端末装置の消費電力を低減させるために、間欠受信用の方法を提供することが望まれている。
【発明の概要】
【発明が解決しようとする課題】
【０００５】
本願は端末装置の消費電力を低減させることができる間欠受信用の方法を提供する。
【課題を解決するための手段】
【０００６】
第１態様によれば、間欠受信用の方法を提供し、端末装置は複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定し、前記少なくとも１つのターゲットＤＲＸ指示信号は前記少なくとも１つのターゲットＤＲＸ指示信号を受信した後の１つのＤＲＸサイクル内にターゲット挙動を実行するように前記端末装置に指示することに用いられることと、前記端末装置は前記少なくとも１つのターゲットＤＲＸ指示信号及び／又は前記少なくとも１つのターゲットＤＲＸ指示信号の占有する時間周波数リソース位置に基づき、ネットワーク装置が送信したＤＲＸ指示信号を検出することと、を含む。
【０００７】
本願に係る間欠受信用の方法によれば、端末装置は少なくとも１つのターゲット（Ｄｉｓｃｏｎｔｉｎｕｏｕｓ  Ｒｅｃｅｐｔｉｏｎ、ＤＲＸ）指示信号及び／又は少なくとも１つのターゲットＤＲＸ指示信号の占有する時間周波数リソース位置を確定し、確定されたターゲットＤＲＸ及び／又はターゲットＤＲＸ指示信号の占有する時間周波数リソース位置に基づき、ネットワーク装置が送信したＤＲＸ指示信号を検出する。それにより、端末装置はネットワーク装置の送信したＤＲＸ指示信号にそれ自体によって確定されたターゲットＤＲＸ指示信号が含まれることを検出した場合にのみ、ターゲットＤＲＸ指示信号の指示に従ってターゲット挙動を実行することができる。端末装置が各ＤＲＸサイクルのオンデュレーション期間（Ｏｎ  Ｄｕｒａｔｉｏｎ）内に起動してダウンリンク制御チャネルを検出することによる不必要な消費電力を回避できる。
【０００８】
なお、ターゲットＤＲＸ指示情報によって指示されるターゲット挙動はダウンリンク制御チャネルを検出すること又はダウンリンク制御チャネルを検出しないことであってもよい。又は、換言すれば、前記少なくとも１つのターゲットＤＲＸ指示信号は前記少なくとも１つのターゲットＤＲＸ信号を受信した後の１つのＤＲＸサイクル内にダウンリンク制御チャネルを検出するか否かを前記端末装置に指示することに用いられる。
【０００９】
第１態様に関連して、第１態様の一実施形態では、前記複数の間欠受信ＤＲＸ指示信号のうちの少なくとも１つのターゲットＤＲＸ指示信号を確定することは、前記端末装置を識別するための第１特徴識別情報に基づき、前記少なくとも１つのターゲットＤＲＸ指示信号を確定することを含む。
【００１０】
第１態様及びその上記実施形態に関連して、第１態様の別の実施形態では、前記第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含む。
【００１１】
第１態様及びその上記実施形態に関連して、第１態様の別の実施形態では、前記複数の間欠受信ＤＲＸ指示信号のうちの少なくとも１つのターゲットＤＲＸ指示信号を確定することは、前記端末装置が位置するセルの識別子に基づき、前記少なくとも１つのターゲットＤＲＸ指示信号を確定することを含む。
【００１２】
第１態様及びその上記実施形態に関連して、第１態様の別の実施形態では、前記方法は、前記端末装置が前記少なくとも１つのターゲットＤＲＸ指示信号の占有する時間周波数リソース位置を確定することを更に含む。
【００１３】
第１態様及びその上記実施形態に関連して、第１態様の別の実施形態では、前記少なくとも１つのターゲットＤＲＸ指示信号の占有する時間周波数リソース位置を確定することは、前記端末装置を識別するための第２特徴識別情報に基づき、前記少なくとも１つのターゲットＤＲＸ指示信号の占有する時間周波数リソース位置を確定することを含む。
【００１４】
第１態様及びその上記実施形態に関連して、第１態様の別の実施形態では、前記第２特徴情報は、前記端末装置の識別子、前記端末装置が属する端末装置グループの識別子、前記端末装置のカバレッジ拡張等級及び前記端末装置のネットワークアクセス等級のうちの少なくとも１種を含む。
【００１５】
第１態様及びその上記実施形態に関連して、第１態様の別の実施形態では、前記少なくとも１つのターゲットＤＲＸ指示信号の占有する時間周波数リソース位置を確定することは、前記端末装置が位置するセルの識別子に基づき、前記少なくとも１つのターゲットＤＲＸ指示信号の占有する時間周波数リソース位置を確定することを含む。
【００１６】
第１態様及びその上記実施形態に関連して、第１態様の別の実施形態では、前記方法は、前記ネットワーク装置が送信した設定情報を受信することを更に含み、前記複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定することは、前記設定情報に基づき、前記少なくとも１つのターゲットＤＲＸ指示信号及び／又は前記少なくとも１つのターゲットＤＲＸ指示信号の占有する時間周波数リソース位置を確定することを含む。
【００１７】
第１態様及びその上記実施形態に関連して、第１態様の別の実施形態では、前記ネットワーク装置が送信した設定情報を受信することは、前記ネットワーク装置が送信した、前記設定情報を含む無線リソース制御ＲＲＣシグナリングを受信することを含む。
【００１８】
第１態様及びその上記実施形態に関連して、第１態様の別の実施形態では、前記設定情報は、前記端末装置の識別子、前記端末装置が属する端末装置グループの識別子、前記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスのうちの１種を含む。
【００１９】
第２態様によれば、間欠受信用の方法を提供し、ネットワーク装置は複数の間欠受信ＤＲＸ指示信号のうちの少なくとも１つのターゲット間欠受信ＤＲＸ指示信号及び／又は前記少なくとも１つのターゲットＤＲＸ指示信号の占有する時間周波数リソース位置を確定し、前記少なくとも１つのターゲットＤＲＸ指示信号は前記少なくとも１つのターゲットＤＲＸ指示信号を受信した後の１つのＤＲＸサイクル内にターゲット挙動を実行するように端末装置に指示することに用いられることと、前記ネットワーク装置は前記少なくとも１つのターゲットＤＲＸ指示信号及び／又は前記少なくとも１つのターゲットＤＲＸ指示信号の占有する時間周波数リソース位置に基づき、前記端末装置に前記少なくとも１つのターゲットＤＲＸ指示信号のうちの１つのターゲットＤＲＸ指示信号を送信することと、を含む。
【００２０】
本願に係る間欠受信用の方法によれば、ネットワーク装置は少なくとも１つのターゲットＤＲＸ指示信号及び／又は少なくとも１つのターゲットＤＲＸ指示信号の占有する時間周波数リソース位置を確定し、確定されたターゲットＤＲＸ及び／又は少なくとも１つのターゲットＤＲＸの占有する時間周波数リソース位置に基づき、端末装置に前記少なくとも１つのターゲットＤＲＸ指示信号のうちの１つのターゲットＤＲＸ指示信号を送信する。それにより、端末装置はネットワーク装置の送信したＤＲＸ指示信号にそれ自体によって確定されたターゲットＤＲＸ指示信号が含まれることを検出した場合にのみ、ターゲットＤＲＸ指示信号の指示に従ってターゲット挙動を実行することができる。端末装置が各ＤＲＸサイクルのオンデュレーション期間（Ｏｎ  Ｄｕｒａｔｉｏｎ）内に起動してダウンリンク制御チャネルを検出することによる不必要な消費電力を回避できる。そしてネットワーク装置は端末装置レベル又は端末装置グループレベルの指示信号の送信を実現でき、それによりネットワーク装置はＯｎ  Ｄｕｒａｔｉｏｎ期間における端末装置の可能なスケジューリング状況に応じて端末装置に対して高精度のＤＲＸ制御を行うことができ、端末装置の消費電力を更に低減させる。
【００２１】
第２態様に関連して、第２態様の一実施形態では、前記複数の間欠受信ＤＲＸ指示信号のうちの少なくとも１つのターゲットＤＲＸ指示信号を確定することは、前記端末装置を識別するための第１特徴識別情報に基づき、前記少なくとも１つのＤＲＸ指示信号を確定することを含む。
【００２２】
第２態様及びその上記実施形態に関連して、第２態様の別の実施形態では、前記第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含む。
【００２３】
第２態様及びその上記実施形態に関連して、第２態様の別の実施形態では、前記複数の間欠受信ＤＲＸ指示信号のうちの少なくとも１つのターゲットＤＲＸ指示信号を確定することは、前記端末装置が位置するセルの識別子に基づき、前記少なくとも１つのターゲットＤＲＸ指示信号を確定することを含む。
【００２４】
第２態様及びその上記実施形態に関連して、第２態様の別の実施形態では、前記方法は、前記ネットワーク装置が前記少なくとも１つのターゲットＤＲＸ指示信号の占有する時間周波数リソース位置を確定することを更に含む。
【００２５】
第２態様及びその上記実施形態に関連して、第２態様の別の実施形態では、前記少なくとも１つのターゲットＤＲＸ指示信号の占有する時間周波数リソース位置を確定することは、前記端末装置を識別するための第２特徴識別情報に基づき、前記少なくとも１つのターゲットＤＲＸ指示信号の占有する時間周波数リソース位置を確定することを含む。
【００２６】
第２態様及びその上記実施形態に関連して、第２態様の別の実施形態では、前記第１特徴識別情報及び／又は前記第２特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含む。
【００２７】
ネットワーク装置は端末装置を識別するための特徴情報に基づきターゲットＤＲＸ指示信号を確定することで、ＤＲＸ指示信号によって指示される端末装置の作用範囲を減少させ、端末装置に対して高精度のＤＲＸ制御を行うことができる。
【００２８】
第２態様及びその上記実施形態に関連して、第２態様の別の実施形態では、前記少なくとも１つのターゲットＤＲＸ指示信号の占有する時間周波数リソース位置を確定することは、前記端末装置が位置するセルの識別子に基づき、前記少なくとも１つのターゲットＤＲＸ指示信号の占有する時間周波数リソース位置を確定することを含む。
【００２９】
ネットワーク装置は端末装置が位置するセルの識別子に基づきターゲットＤＲＸ指示信号の占有する時間周波数リソース位置を確定することで、異なるセルに対応するＤＲＸ指示信号を時間周波数位置で区別し、隣接セルの端末装置間の指示信号の干渉を回避又は軽減し、ＤＲＸ指示信号の伝送の信頼性を向上させることができる。
【００３０】
第２態様及びその上記実施形態に関連して、第２態様の別の実施形態では、前記方法は、前記ネットワーク装置は設定情報を確定し、前記設定情報は前記端末装置が前記少なくとも１つのターゲットＤＲＸ指示情報及び／又は前記少なくとも１つのターゲットＤＲＸ指示信号の占有する時間周波数リソース位置を確定することに用いられることと、前記ネットワーク装置は前記端末装置に前記設定情報を送信することと、を更に含む。
【００３１】
第２態様及びその上記実施形態に関連して、第２態様の別の実施形態では、前記端末装置に設定情報を送信することは、前記設定情報を含む無線リソース制御ＲＲＣシグナリングを前記端末装置に送信することを含む。
【００３２】
第２態様及びその上記実施形態に関連して、第２態様の別の実施形態では、前記設定情報は、前記端末装置の識別子、前記端末装置が属する端末装置グループの識別子、前記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスのうちの１種を含む。
【００３３】
第３態様によれば、上記第１態様又は第１態様の可能な実施形態のいずれかに記載の方法を実行するための端末装置を提供する。具体的に、前記端末装置は上記第１態様又は第１態様の可能な実施形態のいずれかに記載の方法を実行するための機能モジュールを備える。
【００３４】
第４態様によれば、上記第２態様又は第２態様の可能な実施形態のいずれかに記載の方法を実行するためのネットワーク装置を提供する。具体的に、前記ネットワーク装置は上記第２態様又は第２態様の可能な実施形態のいずれかに記載の方法を実行するための機能モジュールを備える。
【００３５】
第５態様によれば、端末装置を提供し、プロセッサ、メモリ及び送受信機を備える。前記プロセッサ、前記メモリ及び前記送受信機は内部接続通路を介して相互に通信し、制御及び／又はデータ信号を伝送し、それにより前記端末装置は上記第１態様又は第１態様の可能な実施形態のいずれかに記載の方法を実行する。
【００３６】
第６態様によれば、ネットワーク装置を提供し、プロセッサ、メモリ及び送受信機を備える。前記プロセッサ、前記メモリ及び前記送受信機は内部接続通路を介して相互に通信し、制御及び／又はデータ信号を伝送し、それにより前記ネットワーク装置は上記第２態様又は第２態様の可能な実施形態のいずれかに記載の方法を実行する。
【００３７】
第７態様によれば、コンピュータ可読媒体を提供し、上記第１態様又は第１態様の可能な実施形態のいずれかを実行するための命令を含むコンピュータプログラムを記憶することに用いられる。
【００３８】
第８態様によれば、コンピュータ可読媒体を提供し、上記第２態様又は第２態様の可能な実施形態のいずれかを実行するための命令を含むコンピュータプログラムを記憶することに用いられる。
【図面の簡単な説明】
【００３９】
【図１】図１は本願の実施例に係る間欠受信用の方法の模式的なフローチャートである。
【図２】図２は本願の別の実施例に係る間欠受信用の方法の模式的なフローチャートである。
【図３】図３は本願の別の実施例に係る間欠受信用の方法の別の模式的なフローチャートである。
【図４】図４は本願の実施例に係る端末装置の模式的なブロック図である。
【図５】図５は本願の実施例に係るネットワーク装置の模式的なブロック図である。
【図６】図６は本願の別の実施例に係る端末装置の模式的なブロック図である。
【図７】図７は本願の別の実施例に係るネットワーク装置の模式的なブロック図である。
【発明を実施するための形態】
【００４０】
以下、本願の実施例における図面を参照して、本願の実施例の技術案を明確で完全に説明する。
【００４１】
理解可能なのは、本願の実施例に係る技術案は、例えば、モバイル通信用グローバル（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）又はワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、５Ｇシステム、又は新無線（Ｎｅｗ  Ｒａｄｉｏ、ＮＲ）システムのような各種の通信システムに適用できる。
【００４２】
本願の実施例では、端末装置は移動局（Ｍｏｂｉｌｅ  Ｓｔａｔｉｏｎ、ＭＳ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ユーザー装置（Ｕｓｅｒ  Ｅｑｕｉｐｍｅｎｔ、ＵＥ）、携帯電話（ｈａｎｄｓｅｔ）及びポータブル装置（ｐｏｒｔａｂｌｅ  ｅｑｕｉｐｍｅｎｔ）、車両（ｖｅｈｉｃｌｅ）等を含むが、それらに限定されず、該端末装置は無線アクセスネットワーク（Ｒａｄｉｏ  Ａｃｃｅｓｓ  Ｎｅｔｗｏｒｋ、ＲＡＮ）を介して１つ又は複数のコアネットワークと通信可能であり、例えば、端末装置は携帯電話（又は「セルラー」電話と称される）、無線通信機能を有するコンピュータ等であってもよく、端末装置はポータブル式、ポケット式、手持ち式、コンピュータ内蔵型又は車載型の移動装置であってもよい。
【００４３】
本願の実施例に係るネットワーク装置は、無線アクセスネットワークに配置される、端末装置に無線通信機能を提供する装置である。前記ネットワーク装置は基地局であってもよく、前記基地局は種々の形態のマクロ基地局、マイクロ基地局、中継局、アクセスポイント等を含んでもよい。異なる無線アクセス技術を用いたシステムでは、基地局機能を有する装置の名称は異なることがある。例えば、ＬＴＥネットワークでは、発展型ノードＢ（Ｅｖｏｌｖｅｄ  ＮｏｄｅＢ、ｅＮＢ又はｅＮｏｄｅＢ）と称され、第３世代（３ｒｄ  Ｇｅｎｅｒａｔｉｏｎ、３Ｇ）ネットワークでは、ノードＢ（Ｎｏｄｅ  Ｂ）と称されるなどが挙げられる。前記ネットワーク装置はコアネットワーク装置であってもよい。
【００４４】
ＬＴＥシステムでは、端末装置の消費電力を低減させるために、間欠受信（Ｄｉｓｃｏｎｔｉｎｕｏｕｓ  Ｒｅｃｅｐｔｉｏｎ、ＤＲＸ）伝送メカニズムを提案し、ネットワーク装置は端末装置にＤＲＸサイクル（Ｃｙｃｌｅ）を設定し、ＤＲＸ  Ｃｙｃｌｅはオンデュレーション期間（Ｏｎ  Ｄｕｒａｔｉｏｎ）とスリープ期間（Ｏｐｐｏｒｔｕｎｉｔｙ  ｆｏｒ  ＤＲＸ）からなり、Ｏｎ  Ｄｕｒａｔｉｏｎ期間内に、端末装置はＰＤＣＣＨをモニタリングして受信し、Ｏｐｐｏｒｔｕｎｉｔｙ  ｆｏｒ  ＤＲＸ期間内に、端末装置は消費電力を減少させるようにＰＤＣＣＨを受信しない。ネットワーク装置は端末装置にＤＲＸメカニズムを設定したが、端末装置は周期的に現れるＯｎ  Ｄｕｒａｔｉｏｎ期間内に機会的にスケジューリングされ、ひいては端末のサービス負荷が非常に低い場合、端末装置は少数のＤＲＸ  Ｃｙｃｌｅ内にしかスケジューリングされない。さらなる最適化の余裕がある。
【００４５】
従来の関連技術では、ネットワーク装置はＤＲＸ  Ｃｙｃｌｅ内のＯｎ  Ｄｕｒａｔｉｏｎ期間内に端末装置をスケジューリングする必要がある場合、ネットワーク装置はＤＲＸ  Ｃｙｃｌｅの前に端末装置に指示信号、例えば端末装置をウェイクアップするためのウェイクアップ信号を送信し、そうでない場合、端末装置に該指示信号を発生しない。端末装置は該ウェイクアップ信号を検出した後、起動してＤＲＸ  ＣｙｃｌｅのＯｎ  Ｄｕｒａｔｉｏｎ期間内に物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）の検出及びデータ受信を行う。しかしながら、複数の端末装置が同一のＤＲＸ  Ｃｙｃｌｅを有するが、これらの複数の端末装置がＯｎ  Ｄｕｒａｔｉｏｎ期間内にネットワーク装置のスケジューリングを同時に受信する可能性が非常に小さい場合、従来の関連技術の方法を採用すると、ネットワーク装置がＤＲＸ  Ｃｙｃｌｅの前にこれらの複数の端末装置に同一の指示信号を送信し、これらの複数の端末装置が指示信号を受信した後、いずれも起動してＯｎ  Ｄｕｒａｔｉｏｎ期間内にＰＤＣＣＨ検出を行うと、データ伝送がない端末装置による不必要な消費電力を招いてしまう。
【００４６】
上記問題を解決するために、本願は端末装置の消費電力を低減させることができる間欠受信用の方法を提供する。
【００４７】
図１は本願の実施例に係る間欠受信用の方法を示す。図１に示すように、方法１００はステップＳ１１０〜Ｓ１２０を含む。
【００４８】
Ｓ１１０、端末装置は複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定し、前記少なくとも１つのターゲットＤＲＸ指示信号は前記少なくとも１つのターゲットＤＲＸ指示信号を受信した後の１つのＤＲＸサイクル内にターゲット挙動を実行するように前記端末装置に指示することに用いられる。
【００４９】
Ｓ１２０、前記端末装置は前記少なくとも１つのターゲットＤＲＸ指示信号及び／又は前記少なくとも１つのターゲットＤＲＸ指示信号の占有する時間周波数リソース位置に基づき、ネットワーク装置が送信したＤＲＸ指示信号を検出する。
【００５０】
具体的に、Ｓ１１０では端末装置が少なくとも１つのターゲットＤＲＸ指示信号のみを確定する場合、端末装置とネットワーク装置はＤＲＸ指示信号を送信するための時間周波数リソース位置を予め約束でき、Ｓ１２０では端末装置は約束した時間周波数リソース位置でネットワーク装置が送信したＤＲＸ指示情報を検出し、ターゲットＤＲＸ指示信号が検出されると、ターゲットＤＲＸ指示信号の指示に従ってターゲット挙動を実行する。又は、Ｓ１１０では端末装置が少なくとも１つのターゲットＤＲＸ指示信号の占有する時間周波数リソース位置のみを確定する場合、Ｓ１２０では端末装置は確定した時間周波数リソース位置でネットワーク装置が送信したＤＲＸ指示情報を検出し、ネットワーク装置の送信したＤＲＸ指示情報が検出されると、ＤＲＸ指示情報に従ってターゲット挙動を実行する。又は、Ｓ１１０では端末装置が少なくとも１つのターゲットＤＲＸ指示信号及び前記少なくとも１つのターゲットＤＲＸ指示信号の占有する時間周波数リソース位置を確定する場合、Ｓ１２０では端末装置は確定した前記少なくとも１つのターゲットＤＲＸ指示信号の占有する時間周波数リソース位置でネットワーク装置が送信した信号を検出し、前記少なくとも１つのターゲットＤＲＸ指示信号のうちの１つのターゲットＤＲＸ指示信号が検出されると、端末装置はターゲットＤＲＸ指示信号の指示に従ってターゲット挙動を実行する。
【００５１】
選択肢として、Ｓ１１０では、端末装置は前記端末装置を識別するための第１特徴情報に基づき、前記少なくとも１つのターゲットＤＲＸ指示信号を確定する。ここで、第１特徴情報は、前記端末装置の識別子、前記端末装置が属する端末装置グループの識別子、前記端末装置のカバレッジ拡張等級及び前記端末装置のネットワークアクセス等級のうちの少なくとも１種を含む。
【００５２】
例を挙げると、端末装置は端末装置の識別子に基づきターゲットＤＲＸ指示信号を確定してもよく、例えば、端末装置は一時的モバイル加入者識別コード（Ｔｅｍｐｏｒａｒｙ  Ｍｏｂｉｌｅ  Ｓｕｂｓｃｒｉｂｅｒ  Ｉｄｅｎｔｉｔｙ、ＴＭＳＩ）及びＴＭＳＩとＤＲＸ指示信号との対応関係に基づきターゲット指示信号を確定し、又は端末装置はＴＭＳＩにモジュロＮ演算を行って１つの余りを得た後、得た余り及び数値とＤＲＸ指示信号との対応関係に基づきターゲットＤＲＸ指示信号を確定する。ＤＲＸ指示信号の候補セットが直交系列セットであることを例にして、異なる端末装置の識別子は異なる直交系列番号に対応し、端末装置はＴＭＳＩにモジュロＮ演算を行って得られた余りに基づき直交系列セットからターゲットＤＲＸ指示信号の直交系列を確定してもよい。又は、ＤＲＸ指示信号がＺａｄｏｆｆ−  Ｃｈｕ  （ＺＣ）系列であり、異なる端末装置の識別子は異なる系列巡回シフト値に対応し、端末装置はＴＭＳＩにモジュロＮ演算を行って得られた余りに基づきターゲットＤＲＸ指示信号に対応するＺＣ系列の巡回シフト値を確定してもよい。
【００５３】
又は、端末装置は端末装置が属する端末装置グループの識別子に基づきターゲットＤＲＸ指示信号を確定し、例えば端末装置グループの識別子にモジュロＮ演算を行って１つの余りを得た後、端末装置は得た余り及び数値とＤＲＸ指示信号との対応関係に基づきターゲットＤＲＸ指示信号を確定する。又は、カバレッジ拡張等級をＭ種に分け、端末装置は自体のカバレッジ拡張等級及びカバレッジ拡張等級とＤＲＸ指示信号との対応関係に基づき、ターゲットＤＲＸ指示信号を確定してもよい。又は、オペレータはＬ種のネットワークアクセス等級を設定してもよく、異なる端末装置はオペレータに加入する時に確定したネットワークアクセス等級を有し、該ネットワークアクセス等級は加入者識別モジュール（Ｓｕｂｓｃｒｉｂｅｒ  Ｉｄｅｎｔｉｆｉｃａｔｉｏｎ  Ｍｏｄｕｌｅ、ＳＩＭ）カードに格納されており、端末装置はネットワークアクセス等級及びネットワークアクセス等級とＤＲＸ指示信号との対応関係に基づき、ターゲットＤＲＸ指示信号を確定する。
【００５４】
理解可能なのは、上記ＮとＭの値はネットワーク装置によってシグナリングを介して端末装置に通知されてもよく、例えばシグナリングをブロードキャストすることで端末装置に通知する。又は、上記ＮとＭの値は端末装置とネットワーク装置によって予め約束されてもよい。上記対応関係は端末装置とネットワーク装置によって予め約束され、又はネットワーク装置によってシグナリングを介して端末装置に通知されてもよい。
【００５５】
選択肢として、Ｓ１１０では、端末装置は前記端末装置が位置するセルの識別子に基づき、前記少なくとも１つのターゲットＤＲＸ指示信号を確定する。例えば、異なるセルのＤＲＸ指示信号はセル識別子（Ｉｄｅｎｔｉｆｉｃａｔｉｏｎ、ＩＤ）に関連付けられたスクランブリングコードでスクランブリングされ、端末装置は位置するセルのＩＤ及びセルＩＤとスクランブリングコードとの対応関係に基づき、ターゲット指示信号のスクランブリングコードを確定する。更に、例えば、異なるＤＲＸ指示信号のサブセットはセルＩＤに基づき異なるセルに割り当てられる。例えば、前記直交系列セットをＫ個の直交コードワードサブセットに分割し、異なるセルは異なるサブセットを選択する。端末装置はセルＩＤに基づき具体的な直交コードワードサブセットを確定した後、端末装置の識別子に基づき、確定した直交コードワードサブセットからターゲットＤＲＸ指示信号の直交コードワードを確定してもよい。
【００５６】
選択肢として、Ｓ１１０では、端末装置は、前記端末装置を識別するための第２特徴識別情報に基づき、前記少なくとも１つのターゲットＤＲＸ指示信号の占有する時間周波数リソース位置を確定する。ここでの第２特徴情報は、前記端末装置の識別子、前記端末装置が属する端末装置グループの識別子、前記端末装置のカバレッジ拡張等級及び前記端末装置のネットワークアクセス等級のうちの少なくとも１種を含む。
【００５７】
例を挙げると、端末装置は端末装置の識別子に基づきターゲットＤＲＸ指示信号の占有する時間周波数リソース位置を確定してもよく、例えば、端末装置の一時的モバイル加入者識別コードＴＭＳＩにモジュロＮ演算を行って１つの余りを得た後、得た余り及び数値と時間周波数リソース位置との対応関係に基づき、ターゲットＤＲＸ指示信号の占有する時間周波数リソース位置を確定する。又は、端末装置は端末装置が属する端末装置グループの識別子に基づきターゲットＤＲＸ指示信号の占有する時間周波数リソース位置を確定し、例えば、端末装置グループの識別子にモジュロＮ演算を行って１つの余りを得た後、端末装置は得た余り及び数値と時間周波数リソース位置との対応関係に基づきターゲットＤＲＸ指示信号を確定する。又は、カバレッジ拡張等級をＭ種に分け、端末装置は自体のカバレッジ拡張等級及びカバレッジ拡張等級と時間周波数リソース位置との対応関係に基づき、ターゲットＤＲＸ指示信号の占有する時間周波数リソース位置を確定してもよい。又は、オペレータはＬ種のネットワークアクセス等級を設定してもよく、異なる端末装置はオペレータに加入する時に確定したネットワークアクセス等級を有し、該ネットワークアクセス等級はＳＩＭカードに格納されており、端末装置はネットワークアクセス等級及びネットワークアクセス等級と時間周波数リソース位置との対応関係に基づき、ターゲットＤＲＸ指示信号の占有する時間周波数リソース位置を確定する。
【００５８】
理解可能なのは、上記ＮとＭの値はネットワーク装置によってシグナリングを介して端末装置に通知されてもよく、例えばシグナリングをブロードキャストすることで端末装置に通知する。又は、上記ＮとＭの値は端末装置とネットワーク装置によって予め約束されてもよい。上記対応関係は端末装置とネットワーク装置によって予め約束され、又はネットワーク装置によってシグナリングを介して端末装置に通知されてもよい。
【００５９】
選択肢として、Ｓ１１０では、端末装置は位置するセルの識別子に基づき、少なくとも１つのターゲットＤＲＸ指示信号の占有する時間周波数リソース位置を確定する。例えば、異なるセル識別子は異なる時間周波数リソース位置に対応し、端末装置は位置するセルの識別子及びセル識別子と時間周波数リソース位置との対応関係に基づき、ターゲットＤＲＸ指示信号の占有する時間周波数リソース位置を確定する。又は、ＤＲＸ指示信号の伝送に使用可能な時間周波数リソース位置を複数のサブ時間周波数リソース位置セットに分割し、端末装置は位置するセルの識別子に基づき、該セルに対応するサブ時間周波数リソース位置セットを確定した後、端末装置は端末装置の識別子に基づき、確定したサブ時間周波数リソース位置セットからターゲットＤＲＸ指示信号の占有する時間周波数リソース位置を確定する。
【００６０】
選択肢として、Ｓ１１０の前に、端末装置はネットワーク装置が送信した設定情報を受信し、Ｓ１１０において、端末装置は受信した設定情報に基づき前記少なくとも１つのターゲットＤＲＸ指示信号及び／又は前記少なくとも１つのターゲットＤＲＸ指示信号の占有する時間周波数リソース位置を確定する。
【００６１】
選択肢として、いくつかの実施例では、設定情報は、前記端末装置の識別子、前記端末装置が属する端末装置グループの識別子、前記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスのうちの１種を含む。
【００６２】
なお、設定情報が端末装置の識別子又は端末装置の属する端末装置グループの識別子を含む場合、端末装置が少なくとも１つのターゲットＤＲＸ指示信号及び／又は前記少なくとも１つのターゲットＤＲＸ指示信号の占有する時間周波数リソース位置を確定する方法は上述した方法と同様であり、重複を避けるために、ここで説明を省略する。
【００６３】
なお、上記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスは、１つの端末装置に対するものであってもよく、１つの端末装置グループに対するものであってもよい。
【００６４】
具体的に、いくつかの実施例では、ネットワーク装置は前記設定情報を含む無線リソース制御（Ｒａｄｉｏ  Ｒｅｓｏｕｒｃｅ  Ｃｏｎｔｒｏｌ、ＲＲＣ）シグナリングを端末装置に送信する。
【００６５】
理解可能なのは、上記端末装置が設定情報に基づき少なくとも１つのターゲットＤＲＸ指示信号及び／又は前記少なくとも１つのターゲットＤＲＸ指示チャネルの占有する時間周波数リソース位置を確定する方法は、端末装置がＲＲＣ接続状態にある場合に適用できる。この場合に、ネットワーク装置は端末装置のサービス特徴、伝送遅延要求、ネットワーク負荷状況等の情報に基づいて、端末装置にターゲットＤＲＸ指示信号及び／又はターゲットＤＲＸ指示信号の占有する時間周波数リソース位置を設定してもよい。
【００６６】
上記すべての実施例では、端末装置は２つ又は２つ以上のターゲットＤＲＸ指示信号及び／又は２つ又は２つ以上のターゲットＤＲＸ指示信号の占有する時間周波数リソース位置を取得する可能性があり、端末装置はこれらの２つ又は２つ以上のターゲットＤＲＸ指示信号及び／又は２つ又は２つ以上のターゲットＤＲＸ指示信号の占有する時間周波数リソース位置に基づき、ネットワーク装置が送信したＤＲＸ指示信号を検出する必要がある。例えば、端末装置は端末装置の識別子に基づき、第１ターゲットＤＲＸ指示信号及び／又は第１ターゲットＤＲＸ指示信号の占有する時間周波数リソース位置を確定し、端末装置は属する端末装置グループの識別子に基づき、第２ターゲットＤＲＸ指示信号及び／又は第２ターゲットＤＲＸ指示信号の占有する時間周波数リソース位置を確定し、又は端末装置は第２ターゲットＤＲＸ指示信号及び／又は第２ターゲットＤＲＸ指示信号の占有する時間周波数リソース位置をネットワーク装置によって設定され又はネットワーク装置とともに予め約束しておく。端末装置は第１ターゲットＤＲＸ指示信号及び／又は第１ターゲットＤＲＸ指示信号の占有する時間周波数リソース位置、及び第２ターゲットＤＲＸ指示信号及び／又は第２ターゲットＤＲＸ指示信号の占有する時間周波数リソース位置に基づき、ネットワーク装置が送信したＤＲＸ指示信号を検出する必要がある。
【００６７】
それにより、ネットワーク装置は端末装置に送信するＤＲＸ指示信号を確定する時、同一のＤＲＸサイクルを有する複数の端末装置のスケジューリング状況に応じて、端末装置に送信するターゲットＤＲＸ指示信号を確定することができる。例えば、これらの複数の端末装置のうちすべての端末装置又はほとんどの端末装置がスケジューリングされる必要がある場合、ネットワーク装置はこれらの複数の端末装置にこれらの複数の端末装置に対するターゲットＤＲＸ指示信号を送信することで、シーケンスの占有及び時間周波数リソースのオーバーヘッドの低減に有利である。これらの複数の端末装置のうちごく少数の端末装置がスケジューリングされる必要がある場合、ネットワーク装置はこれらのスケジューリングを必要とする端末装置の各々に該端末装置に対するターゲットＤＲＸ指示信号を送信する（例えば、端末装置の各々に、該端末装置の識別子に基づき確定されたターゲットＤＲＸ指示信号を送信する）ことで、端末装置がＤＲＸを行うように制御する効率の向上に有利である。
【００６８】
又は、ネットワーク装置は同一のＤＲＸサイクルを有する複数の端末装置を複数の端末装置グループに分けてもよい。例えば、ネットワーク装置はサービス送信サイクル又はサービスタイプが近い端末装置を１つの端末装置グループとする。この場合、ネットワーク装置は端末装置に送信するＤＲＸ指示信号を確定する時、端末装置グループ中の端末装置のスケジューリング状況に応じて、端末装置に送信するターゲットＤＲＸ指示信号を確定することができる。例えば、端末装置グループ中のすべての端末装置又はほとんどの端末装置がスケジューリングされる必要がある場合、ネットワーク装置は端末装置グループ中のすべての端末装置に、該端末装置グループの識別子に基づき確定されたターゲットＤＲＸ指示信号を送信することで、同一の端末装置グループ中の端末装置がＤＲＸサイクル内にＤＲＸ指示信号を同時に検出する確率を増加させることができる。端末装置グループ中のごく少数の端末装置のみがスケジューリングされる必要がある場合、ネットワーク装置はこれらのスケジューリングを必要とする端末装置に、端末装置の識別子に基づき確定されたターゲットＤＲＸ指示信号を送信することで、端末装置がＤＲＸを行うように制御する効率の向上に有利である。
【００６９】
以上、図１を参照して端末装置側から本願の実施例に係る間欠伝送用の方法を詳細に説明したが、以下、図２を参照してネットワーク装置側から本願の実施例に係る間欠伝送用の方法を詳細に説明する。理解すべきなのは、ネットワーク装置側から説明されるネットワーク装置と端末装置とのインタラクションは端末装置側の説明と同様であるため、重複を避けるために、関連説明を適宜省略する。
【００７０】
図２は本願の別の実施例に係る間欠伝送用の方法を示す。図２に示すように、方法２００はステップＳ２１０〜Ｓ２２０を含む。
【００７１】
Ｓ２１０、ネットワーク装置は複数の間欠受信ＤＲＸ指示信号のうちの少なくとも１つのターゲット間欠受信ＤＲＸ指示信号及び／又は前記少なくとも１つのターゲットＤＲＸ指示信号の占有する時間周波数リソース位置を確定し、前記少なくとも１つのターゲットＤＲＸ指示信号は前記少なくとも１つのターゲットＤＲＸ指示信号を受信した後の１つのＤＲＸサイクル内にターゲット挙動を実行するように端末装置に指示することに用いられる。
【００７２】
Ｓ２２０、前記ネットワーク装置は前記少なくとも１つのターゲットＤＲＸ指示信号及び／又は前記少なくとも１つのターゲットＤＲＸ指示信号の占有する時間周波数リソース位置に基づき、前記端末装置に前記少なくとも１つのターゲットＤＲＸ指示信号のうちの１つのターゲットＤＲＸ指示信号を送信する。
【００７３】
従って、本願に係る間欠受信用の方法によれば、ネットワーク装置は少なくとも１つのターゲットＤＲＸ指示信号及び／又は少なくとも１つのターゲットＤＲＸ指示信号の占有する時間周波数リソース位置を確定し、確定されたターゲットＤＲＸ及び／又は少なくとも１つのターゲットＤＲＸの占有する時間周波数リソース位置に基づき、端末装置に前記少なくとも１つのターゲットＤＲＸ指示信号のうちの１つのターゲットＤＲＸ指示信号を送信する。それにより、端末装置はネットワーク装置の送信したＤＲＸ指示信号にそれ自体によって確定されたターゲットＤＲＸ指示信号が含まれることを検出した場合にのみ、ターゲットＤＲＸ指示信号の指示に従ってターゲット挙動を実行することができる。端末装置が各ＤＲＸサイクルのオンデュレーション期間（Ｏｎ  Ｄｕｒａｔｉｏｎ）内に起動してダウンリンク制御チャネルを検出することによる不必要な消費電力を回避できる。そしてネットワーク装置は端末装置レベル又は端末装置グループレベルの指示信号の送信を実現でき、それによりネットワーク装置はＯｎ  Ｄｕｒａｔｉｏｎ期間における端末装置の可能なスケジューリング状況に応じて端末装置に対して高精度のＤＲＸ制御を行うことができ、端末装置の消費電力を更に低減させる。
【００７４】
具体的に、Ｓ２１０では、ネットワーク装置が少なくとも１つのターゲットＤＲＸ指示信号のみを確定する場合、端末装置とネットワーク装置はＤＲＸ指示信号を送信するための時間周波数リソース位置を予め約束でき、Ｓ２２０ではネットワーク装置は約束した時間周波数リソース位置で端末装置に前記少なくとも１つのターゲットＤＲＸ指示信号のうちの１つのターゲットＤＲＸ指示情報を送信する。又は、Ｓ２１０ではネットワーク装置が少なくとも１つのターゲットＤＲＸ指示信号の占有する時間周波数リソース位置のみを確定する場合、Ｓ２２０ではネットワーク装置は前記少なくとも１つのターゲットＤＲＸ指示信号の占有する時間周波数リソース位置のうちの１つのターゲットＤＲＸ指示信号の占有する時間周波数リソース位置で端末装置にターゲットＤＲＸ指示情報を送信する。又は、Ｓ２１０ではネットワーク装置が少なくとも１つのターゲットＤＲＸ指示信号及び前記少なくとも１つのターゲットＤＲＸ指示信号の占有する時間周波数リソース位置を確定する場合、Ｓ２２０ではネットワーク装置は確定した１つのターゲットＤＲＸ指示信号の占有する時間周波数リソース位置で端末装置に１つのターゲットＤＲＸ指示信号を送信する。
【００７５】
本願の実施例では、選択肢として、Ｓ２１０は、前記端末装置を識別するための第１特徴識別情報に基づき前記少なくとも１つのＤＲＸ指示信号を確定することを含む。
【００７６】
本願の実施例では、選択肢として、前記第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含む。
【００７７】
本願の実施例では、選択肢として、Ｓ２１０は、前記端末装置が位置するセルの識別子に基づき、前記少なくとも１つのターゲットＤＲＸ指示信号を確定することを含む。
【００７８】
本願の実施例では、選択肢として、Ｓ２１０は、前記ネットワーク装置が前記少なくとも１つのターゲットＤＲＸ指示信号の占有する時間周波数リソース位置を確定することを含む。
【００７９】
本願の実施例では、選択肢として、Ｓ２１０は、前記端末装置を識別するための第２特徴識別情報に基づき、前記少なくとも１つのターゲットＤＲＸ指示信号の占有する時間周波数リソース位置を確定することを含む。
【００８０】
本願の実施例では、選択肢として、前記第２特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含む。
【００８１】
本願の実施例では、選択肢として、Ｓ２１０は、前記端末装置が位置するセルの識別子に基づき、前記少なくとも１つのターゲットＤＲＸ指示信号の占有する時間周波数リソース位置を確定することを含む。
【００８２】
本願の実施例では、選択肢として、図３に示すように、前記方法２００は、ステップＳ２３０〜Ｓ２４０を更に含む。
【００８３】
Ｓ２３０、前記ネットワーク装置は設定情報を確定し、前記設定情報は前記端末装置が前記少なくとも１つのターゲットＤＲＸ指示情報及び／又は前記少なくとも１つのターゲットＤＲＸ指示信号の占有する時間周波数リソース位置を確定することに用いられる。
【００８４】
Ｓ２４０、前記ネットワーク装置は、前記端末装置に前記設定情報を送信する。
【００８５】
本願の実施例では、選択肢として、Ｓ２４０は、前記設定情報を含む無線リソース制御ＲＲＣシグナリングを前記端末装置に送信することを含む。
【００８６】
本願の実施例では、選択肢として、前記設定情報は、前記端末装置の識別子、前記端末装置が属する端末装置グループの識別子、前記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスのうちの１種を含む。
【００８７】
以上、図１〜図３を参照して本願の実施例に係る間欠受信用の方法を詳細に説明したが、以下、図４を参照して本願の実施例に係る端末装置を詳細に説明し、図４に示すように、端末装置１０は送受信モジュール１１及び処理モジュール１２を備え、
前記処理モジュール１２は、複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定することに用いられ、前記少なくとも１つのターゲットＤＲＸ指示信号は、前記送受信モジュール１１が前記少なくとも１つのターゲットＤＲＸ指示信号を受信した後の１つのＤＲＸサイクル内にターゲット挙動を実行するように前記処理モジュール１２に指示することに用いられる。
【００８８】
前記処理モジュール１２は更に、前記少なくとも１つのターゲットＤＲＸ指示信号及び／又は前記少なくとも１つのターゲットＤＲＸ指示信号の占有する時間周波数リソース位置に基づき、ネットワーク装置が送信したＤＲＸ指示信号を検出することに用いられる。
【００８９】
従って、本願の実施例に係る端末装置は少なくとも１つのターゲットＤＲＸ指示信号及び／又は少なくとも１つのターゲットＤＲＸ指示信号の占有する時間周波数リソース位置を確定し、確定されたターゲットＤＲＸ及び／又はターゲットＤＲＸ指示信号の占有する時間周波数リソース位置に基づき、ネットワーク装置が送信したＤＲＸ指示信号を検出する。それにより、端末装置はネットワーク装置の送信したＤＲＸ指示信号にそれ自体によって確定されたターゲットＤＲＸ指示信号が含まれることを検出した場合にのみ、ターゲットＤＲＸ指示信号の指示に従ってターゲット挙動を実行することができる。端末装置が各ＤＲＸサイクルのオンデュレーション期間内に起動してダウンリンク制御チャネルを検出することによる不必要な消費電力を回避できる。
【００９０】
本願の実施例では、選択肢として、前記処理モジュール１２は具体的に、前記端末装置を識別するための第１特徴識別情報に基づき、前記少なくとも１つのターゲットＤＲＸ指示信号を確定することに用いられる。
【００９１】
本願の実施例では、選択肢として、前記第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含む。
【００９２】
本願の実施例では、選択肢として、前記処理モジュール１２は具体的に、前記端末装置が位置するセルの識別子に基づき、前記少なくとも１つのターゲットＤＲＸ指示信号を確定することに用いられる。
【００９３】
本願の実施例では、選択肢として、前記処理モジュール１２は更に、前記少なくとも１つのターゲットＤＲＸ指示信号の占有する時間周波数リソース位置を確定することに用いられる。
【００９４】
本願の実施例では、選択肢として、前記処理モジュール１２は具体的に、前記端末装置を識別するための第２特徴識別情報に基づき、前記少なくとも１つのターゲットＤＲＸ指示信号の占有する時間周波数リソース位置を確定することに用いられる。
【００９５】
本願の実施例では、選択肢として、前記第２特徴情報は、前記端末装置の識別子、前記端末装置が属する端末装置グループの識別子、前記端末装置のカバレッジ拡張等級及び前記端末装置のネットワークアクセス等級のうちの少なくとも１種を含む。
【００９６】
本願の実施例では、選択肢として、前記処理モジュール１２は具体的に、前記端末装置が位置するセルの識別子に基づき、前記少なくとも１つのターゲットＤＲＸ指示信号の占有する時間周波数リソース位置を確定することに用いられる。
【００９７】
本願の実施例では、選択肢として、前記送受信モジュール１１は更に、前記ネットワーク装置が送信した設定情報を受信することに用いられ、
前記処理モジュール１２は具体的に、前記設定情報に基づき、前記少なくとも１つのターゲットＤＲＸ指示信号及び／又は前記少なくとも１つのターゲットＤＲＸ指示信号の占有する時間周波数リソース位置を確定することに用いられる。
【００９８】
本願の実施例では、選択肢として、前記送受信モジュール１１は具体的に、前記ネットワーク装置が送信した、前記設定情報を含む無線リソース制御ＲＲＣシグナリングを受信することに用いられる。
【００９９】
本願の実施例では、選択肢として、前記設定情報は、前記端末装置の識別子、前記端末装置が属する端末装置グループの識別子、前記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスのうちの１種を含む。
【０１００】
本願の実施例に係る端末装置は対応する本願の実施例に係る方法１００のプロセスを参照でき、且つ、該端末装置の各ユニット／モジュールと上記ほかの操作及び／又は機能はそれぞれ方法１００の対応するプロセスを実現するためのものであり、簡明のために、ここで重複説明を省略する。
【０１０１】
図５は本願の実施例に係るネットワーク装置を示し、図５に示すように、ネットワーク装置２０は、処理モジュール２１、及び送受信モジュール２２を備える。
【０１０２】
処理モジュール２１は、複数の間欠受信ＤＲＸ指示信号のうちの少なくとも１つのターゲット間欠受信ＤＲＸ指示信号及び／又は前記少なくとも１つのターゲットＤＲＸ指示信号の占有する時間周波数リソース位置を確定することに用いられ、前記少なくとも１つのターゲットＤＲＸ指示信号は前記少なくとも１つのターゲットＤＲＸ指示信号を受信した後の１つのＤＲＸサイクル内にターゲット挙動を実行するように端末装置に指示することに用いられる。
【０１０３】
送受信モジュール２２は、前記少なくとも１つのターゲットＤＲＸ指示信号及び／又は前記少なくとも１つのターゲットＤＲＸ指示信号の占有する時間周波数リソース位置に基づき、前記端末装置に前記少なくとも１つのターゲットＤＲＸ指示信号のうちの１つのターゲットＤＲＸ指示信号を送信することに用いられる。
【０１０４】
従って、本願の実施例に係るネットワーク装置は少なくとも１つのターゲットＤＲＸ指示信号及び／又は少なくとも１つのターゲットＤＲＸ指示信号の占有する時間周波数リソース位置を確定し、確定されたターゲットＤＲＸ及び／又は少なくとも１つのターゲットＤＲＸの占有する時間周波数リソース位置に基づき、端末装置に前記少なくとも１つのターゲットＤＲＸ指示信号のうちの１つのターゲットＤＲＸ指示信号を送信する。それにより、端末装置はネットワーク装置の送信したＤＲＸ指示信号にそれ自体によって確定されたターゲットＤＲＸ指示信号が含まれることを検出した場合にのみ、ターゲットＤＲＸ指示信号の指示に従ってターゲット挙動を実行することができる。端末装置が各ＤＲＸサイクルのオンデュレーション期間内に起動してダウンリンク制御チャネルを検出することによる不必要な消費電力を回避できる。そしてネットワーク装置は端末装置レベル又は端末装置グループレベルの指示信号の送信を実現でき、それによりネットワーク装置はＯｎ  Ｄｕｒａｔｉｏｎ期間における端末装置の可能なスケジューリング状況に応じて端末装置に対して高精度のＤＲＸ制御を行うことができ、端末装置の消費電力を更に低減させる。
【０１０５】
本願の実施例では、選択肢として、前記処理モジュール２１は具体的に、前記端末装置を識別するための第１特徴識別情報に基づき、前記少なくとも１つのＤＲＸ指示信号を確定することに用いられる。
【０１０６】
本願の実施例では、選択肢として、前記第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含む。
【０１０７】
本願の実施例では、選択肢として、前記処理モジュール２１は具体的に、前記端末装置が位置するセルの識別子に基づき、前記少なくとも１つのターゲットＤＲＸ指示信号を確定することに用いられる。
【０１０８】
本願の実施例では、選択肢として、前記処理モジュール２１は更に、前記少なくとも１つのターゲットＤＲＸ指示信号の占有する時間周波数リソース位置を確定することに用いられる。
【０１０９】
本願の実施例では、選択肢として、前記処理モジュール２１は具体的に、前記端末装置を識別するための第２特徴識別情報に基づき、前記少なくとも１つのターゲットＤＲＸ指示信号の占有する時間周波数リソース位置を確定することに用いられる。
【０１１０】
本願の実施例では、選択肢として、前記第２特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含む。
【０１１１】
本願の実施例では、選択肢として、前記処理モジュール２１は具体的に、前記端末装置が位置するセルの識別子に基づき、前記少なくとも１つのターゲットＤＲＸ指示信号の占有する時間周波数リソース位置を確定することに用いられる。
【０１１２】
本願の実施例では、選択肢として、前記処理モジュール２１は更に、設定情報を確定することに用いられ、前記設定情報は前記端末装置が前記少なくとも１つのターゲットＤＲＸ指示情報及び／又は前記少なくとも１つのターゲットＤＲＸ指示信号の占有する時間周波数リソース位置を確定することに用いられ、
前記送受信モジュール２２は更に、前記端末装置に前記設定情報を送信することに用いられる。
【０１１３】
本願の実施例では、選択肢として、前記送受信モジュール２２は具体的に、前記設定情報を含む無線リソース制御ＲＲＣシグナリングを前記端末装置に送信することに用いられる。
【０１１４】
本願の実施例では、選択肢として、前記設定情報は、前記端末装置の識別子、前記端末装置が属する端末装置グループの識別子、前記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスのうちの１種を含む。
【０１１５】
本願の実施例に係るネットワーク装置は対応する本願の実施例に係る方法２００のプロセスを参照でき、且つ、該ネットワーク装置の各ユニット／モジュールと上記ほかの操作及び／又は機能はそれぞれ方法２００の対応するプロセスを実現するためのものであり、簡明のために、ここで重複説明を省略する。
【０１１６】
図６は本願の別の実施例に係る端末装置を示す。図６に示すように、端末装置１００はプロセッサ１１０及び送受信機１２０を備え、プロセッサ１１０と送受信機１２０が接続され、選択肢として、該ネットワーク装置１００はメモリ１３０を更に備え、メモリ１３０がプロセッサ１１０に接続される。プロセッサ１１０、メモリ１３０及び送受信機１２０は内部接続通路を介して相互に通信することができる。前記プロセッサ１１０は、複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定することに用いられ、前記少なくとも１つのターゲットＤＲＸ指示信号は前記送受信機１２０が前記少なくとも１つのターゲットＤＲＸ指示信号を受信した後の１つのＤＲＸサイクル内にターゲット挙動を実行するように前記プロセッサ１１０に指示することに用いられ、前記プロセッサ１１０は更に、前記少なくとも１つのターゲットＤＲＸ指示信号及び／又は前記少なくとも１つのターゲットＤＲＸ指示信号の占有する時間周波数リソース位置に基づき、ネットワーク装置が送信したＤＲＸ指示信号を検出することに用いられる。
【０１１７】
従って、本願の実施例に係る端末装置は少なくとも１つのターゲットＤＲＸ指示信号及び／又は少なくとも１つのターゲットＤＲＸ指示信号の占有する時間周波数リソース位置を確定し、確定されたターゲットＤＲＸ及び／又はターゲットＤＲＸ指示信号の占有する時間周波数リソース位置に基づきネットワーク装置が送信したＤＲＸ指示信号を検出する。それにより、端末装置はネットワーク装置の送信したＤＲＸ指示信号にそれ自体によって確定されたターゲットＤＲＸ指示信号が含まれることを検出した場合にのみ、ターゲットＤＲＸ指示信号の指示に従ってターゲット挙動を実行することができる。端末装置が各ＤＲＸサイクルのオンデュレーション期間Ｏｎ  Ｄｕｒａｔｉｏｎ内に起動してダウンリンク制御チャネルを検出することによる不必要な消費電力を回避できる。
【０１１８】
本願の実施例に係る端末装置１００は対応する本願の実施例に係る端末装置１０を参照でき、且つ、該端末装置の各ユニット／モジュールと上記ほかの操作及び／又は機能はそれぞれ方法１００の対応するプロセスを実現するためのものであり、簡明のために、ここで重複説明を省略する。
【０１１９】
図７は本願の別の実施例に係るネットワーク装置の模式的なブロック図を示し、図７に示すように、ネットワーク装置２００はプロセッサ２１０及び送受信機２２０を備え、プロセッサ２１０と送受信機２２０が接続され、選択肢として、前記端末装置２００はメモリ２３０を更に備え、メモリ２３０がプロセッサ２１０に接続される。プロセッサ２１０、メモリ２３０及び送受信機２２０は内部接続通路を介して相互に通信することができる。前記プロセッサ２１０は、複数の間欠受信ＤＲＸ指示信号のうちの少なくとも１つのターゲット間欠受信ＤＲＸ指示信号及び／又は前記少なくとも１つのターゲットＤＲＸ指示信号の占有する時間周波数リソース位置を確定することに用いられ、前記少なくとも１つのターゲットＤＲＸ指示信号は前記少なくとも１つのターゲットＤＲＸ指示信号を受信した後の１つのＤＲＸサイクル内にターゲット挙動を実行するように端末装置に指示することに用いられ、前記送受信機２２０は、前記少なくとも１つのターゲットＤＲＸ指示信号及び／又は前記少なくとも１つのターゲットＤＲＸ指示信号の占有する時間周波数リソース位置に基づき、前記端末装置に前記少なくとも１つのターゲットＤＲＸ指示信号のうちの１つのターゲットＤＲＸ指示信号を送信することに用いられる。
【０１２０】
本願の実施例に係るネットワーク装置２００は対応する本願の実施例に係るネットワーク装置２０を参照でき、且つ、該ネットワーク装置の各ユニット／モジュールと上記ほかの操作及び／又は機能はそれぞれ方法２００の対応するプロセスを実現するためのものであり、簡明のために、ここで重複説明を省略する。
【０１２１】
本願の実施例に係るネットワーク装置２００は対応する本願の実施例に係るネットワーク装置２０を参照でき、且つ、該ネットワーク装置の各ユニット／モジュールと上記ほかの操作及び／又は機能はそれぞれ方法２００の対応するプロセスを実現するためのものであり、簡明のために、ここで重複説明を省略する。
【０１２２】
理解すべきなのは、本願の実施例に係るプロセッサは、信号処理能力を有する集積回路チップでありうる。実現中、上記方法の実施例の各ステップはプロセッサのハードウェアの集積論理回路又はソフトウェアの形態の命令によって行われる。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はほかのプログラマブルロジックデバイス、ディスクリートゲート又はトランジスタロジック装置、ディスクリートハードウェアユニットであってもよい。本願の実施例に開示されている各方法、ステップ及び論理ブロック図を実現又は実行できる。汎用プロセッサはマイクロプロセッサであってもよく、該プロセッサは任意の通常のプロセッサ等であってもよい。本願の実施例に開示されている方法のステップは直接にハードウェアデコードプロセッサによって実行され、又はデコードプロセッサのハードウェア及びソフトウェアモジュール組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。該記憶媒体はメモリに位置し、プロセッサはメモリにおける情報を読み取り、そのハードウェアと組み合わせて上記方法のステップを行う。
【０１２３】
理解可能なのは、本願の実施例のメモリは揮発性メモリ又は不揮発性メモリであり、又は揮発性メモリと不揮発性メモリの組合せを含む。不揮発性メモリは読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部高速キャッシュメモリとして機能する。制限的ではなく例示的に説明すると、様々な形態のＲＡＭは使用可能であり、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトランバスランダムアクセスメモリ（Ｄｉｒｅｃｔ  Ｒａｍｂｕｓ  ＲＡＭ、ＤＲ  ＲＡＭ）が挙げられる。なお、本明細書に記載のシステム及び方法のメモリはこれら及び任意の適切なタイプのメモリを含むが、それらに限定されない。
【０１２４】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかそれともソフトウェアで実行するかは、技術案の特定の応用及び設計制約条件に応じて決められる。専門技術者は、各特定の適用に対して異なる方法を使用して、記述された機能を実現することができるが、そのような実現は本願の範囲を超えるとは考えられない。
【０１２５】
当業者であれば、説明の便宜及び簡潔上、上記説明したシステム、装置及びユニットの具体的な動作プロセスは、上記方法の実施例の対応するプロセスを参照すればよいと理解できるため、ここで詳細説明を省略する。
【０１２６】
本願によるいくつかの実施例では、開示されているシステム、装置及び方法をほかの形態で実現できると理解すべきである。例えば、以上説明された装置の実施例は単に例示的なものであり、例えば、該ユニットの分割は、単に１種のロジック機能分割であり、実際に実現する時に別の分割方式を採用してもよく、例えば複数のユニット又は要素を別のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又はほかの形態としてもよい。
【０１２７】
前記分離部材として説明されたユニットは物理的に分離しているものであってもよく、物理的に分離しているものでなくてもよく、ユニットとして表示される部材は物理ユニットであってもよく物理ユニットでなくてもよく、すなわち、１つの場所に位置してもよく、複数のネットワークユニットに分布してもよい。実際の必要に応じて一部又はすべてのユニットを選択して本実施例の技術案の目的を実現することができる。
【０１２８】
また、本願の実施例の各々における各機能ユニットは１つの処理ユニットに集積されてもよく、別々に物理的に存在してもよく、２つ又は２つ以上のユニットは１つのユニットに集積されてもよい。
【０１２９】
前記機能はソフトウェア機能ユニットの形態で実現され独立した製品として販売又は使用される場合、１つのコンピュータ可読記憶媒体に記憶されてもよい。このような理解に基づき、本願の技術案の本質的に又は従来技術に貢献する部分又は該技術案の一部はソフトウェア製品の形態で体現してもよく、該コンピュータソフトウェア製品は１つの記憶媒体に記憶され、１つのコンピュータ装置（パーソナルコンピュータ、サーバ、又はネットワーク装置等）に本願の実施例の各々に係る方法の全て又は一部のステップを実行させるための複数の命令を含む。上記記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどプロクラムコードを記憶可能な種々の媒体を含む。
【０１３０】
以上は、本願の具体的な実施形態に過ぎなく、本願の保護範囲はそれに限定されるものではなく、当業者が本願に開示されている技術範囲を逸脱せずに容易に想到し得る変更や置換はすべて本願の保護範囲に属する。従って、本願の保護範囲は特許請求の範囲の保護範囲に準じるべきである。
【図１】
2020519113.tif 000003
【図２】
2020519113.tif 000004
【図３】
2020519113.tif 000005
【図４】
2020519113.tif 000006
【図５】
2020519113.tif 000007
【図６】
2020519113.tif 000008
【図７】
2020519113.tif 000009
【手続補正書】
【提出日】令和2年4月14日(2020.4.14)
【手続補正１】
【補正対象書類名】明細書
【補正対象項目名】０００７
【補正方法】変更
【補正の内容】
【０００７】
本願に係る間欠受信用の方法によれば、端末装置は少なくとも１つのターゲット（Ｄｉｓｃｏｎｔｉｎｕｏｕｓ  Ｒｅｃｅｐｔｉｏｎ、ＤＲＸ）指示信号及び／又は少なくとも１つのターゲットＤＲＸ指示信号の占有する時間周波数リソース位置を確定し、確定されたターゲットＤＲＸ指示信号及び／又はターゲットＤＲＸ指示信号の占有する時間周波数リソース位置に基づき、ネットワーク装置が送信したＤＲＸ指示信号を検出する。それにより、端末装置はネットワーク装置の送信したＤＲＸ指示信号にそれ自体によって確定されたターゲットＤＲＸ指示信号が含まれることを検出した場合にのみ、ターゲットＤＲＸ指示信号の指示に従ってターゲット挙動を実行することができる。端末装置が各ＤＲＸサイクルのオンデュレーション期間（Ｏｎ  Ｄｕｒａｔｉｏｎ）内に起動してダウンリンク制御チャネルを検出することによる不必要な消費電力を回避できる。
【手続補正２】
【補正対象書類名】明細書
【補正対象項目名】０００８
【補正方法】変更
【補正の内容】
【０００８】
なお、ターゲットＤＲＸ指示信号によって指示されるターゲット挙動はダウンリンク制御チャネルを検出すること又はダウンリンク制御チャネルを検出しないことであってもよい。又は、換言すれば、前記少なくとも１つのターゲットＤＲＸ指示信号は前記少なくとも１つのターゲットＤＲＸ信号を受信した後の１つのＤＲＸサイクル内にダウンリンク制御チャネルを検出するか否かを前記端末装置に指示することに用いられる。
【手続補正３】
【補正対象書類名】明細書
【補正対象項目名】００１４
【補正方法】変更
【補正の内容】
【００１４】
第１態様及びその上記実施形態に関連して、第１態様の別の実施形態では、前記第２特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含む。
【手続補正４】
【補正対象書類名】明細書
【補正対象項目名】００１９
【補正方法】変更
【補正の内容】
【００１９】
第２態様によれば、間欠受信用の方法を提供し、ネットワーク装置は複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定し、前記少なくとも１つのターゲットＤＲＸ指示信号は前記少なくとも１つのターゲットＤＲＸ指示信号を受信した後の１つのＤＲＸサイクル内にターゲット挙動を実行するように端末装置に指示することに用いられることと、前記ネットワーク装置は前記少なくとも１つのターゲットＤＲＸ指示信号及び／又は前記少なくとも１つのターゲットＤＲＸ指示信号の占有する時間周波数リソース位置に基づき、前記端末装置に前記少なくとも１つのターゲットＤＲＸ指示信号のうちの１つのターゲットＤＲＸ指示信号を送信することと、を含む。
【手続補正５】
【補正対象書類名】明細書
【補正対象項目名】００２０
【補正方法】変更
【補正の内容】
【００２０】
本願に係る間欠受信用の方法によれば、ネットワーク装置は少なくとも１つのターゲットＤＲＸ指示信号及び／又は少なくとも１つのターゲットＤＲＸ指示信号の占有する時間周波数リソース位置を確定し、確定されたターゲットＤＲＸ指示信号及び／又は少なくとも１つのターゲットＤＲＸ指示信号の占有する時間周波数リソース位置に基づき、端末装置に前記少なくとも１つのターゲットＤＲＸ指示信号のうちの１つのターゲットＤＲＸ指示信号を送信する。それにより、端末装置はネットワーク装置の送信したＤＲＸ指示信号にそれ自体によって確定されたターゲットＤＲＸ指示信号が含まれることを検出した場合にのみ、ターゲットＤＲＸ指示信号の指示に従ってターゲット挙動を実行することができる。端末装置が各ＤＲＸサイクルのオンデュレーション期間（Ｏｎ  Ｄｕｒａｔｉｏｎ）内に起動してダウンリンク制御チャネルを検出することによる不必要な消費電力を回避できる。そしてネットワーク装置は端末装置レベル又は端末装置グループレベルの指示信号の送信を実現でき、それによりネットワーク装置はＯｎ  Ｄｕｒａｔｉｏｎ期間における端末装置の可能なスケジューリング状況に応じて端末装置に対して高精度のＤＲＸ制御を行うことができ、端末装置の消費電力を更に低減させる。
【手続補正６】
【補正対象書類名】明細書
【補正対象項目名】００２１
【補正方法】変更
【補正の内容】
【００２１】
第２態様に関連して、第２態様の一実施形態では、前記複数の間欠受信ＤＲＸ指示信号のうちの少なくとも１つのターゲットＤＲＸ指示信号を確定することは、前記端末装置を識別するための第１特徴識別情報に基づき、前記少なくとも１つのターゲットＤＲＸ指示信号を確定することを含む。
【手続補正７】
【補正対象書類名】明細書
【補正対象項目名】００２７
【補正方法】変更
【補正の内容】
【００２７】
ネットワーク装置は端末装置を識別するための特徴識別情報に基づきターゲットＤＲＸ指示信号を確定することで、ＤＲＸ指示信号によって指示される端末装置の作用範囲を減少させ、端末装置に対して高精度のＤＲＸ制御を行うことができる。
【手続補正８】
【補正対象書類名】明細書
【補正対象項目名】００３０
【補正方法】変更
【補正の内容】
【００３０】
第２態様及びその上記実施形態に関連して、第２態様の別の実施形態では、前記方法は、前記ネットワーク装置は設定情報を確定し、前記設定情報は前記端末装置が前記少なくとも１つのターゲットＤＲＸ指示信号及び／又は前記少なくとも１つのターゲットＤＲＸ指示信号の占有する時間周波数リソース位置を確定することに用いられることと、前記ネットワーク装置は前記端末装置に前記設定情報を送信することと、を更に含む。
【手続補正９】
【補正対象書類名】明細書
【補正対象項目名】００３７
【補正方法】変更
【補正の内容】
【００３７】
第７態様によれば、コンピュータ可読媒体を提供し、上記第１態様の方法又は第１態様の可能な実施形態のいずれかを実行するための命令を含むコンピュータプログラムを記憶することに用いられる。
【手続補正１０】
【補正対象書類名】明細書
【補正対象項目名】００３８
【補正方法】変更
【補正の内容】
【００３８】
第８態様によれば、コンピュータ可読媒体を提供し、上記第２態様の方法又は第２態様の可能な実施形態のいずれかを実行するための命令を含むコンピュータプログラムを記憶することに用いられる。
【手続補正１１】
【補正対象書類名】明細書
【補正対象項目名】００４４
【補正方法】変更
【補正の内容】
【００４４】
ＬＴＥシステムでは、端末装置の消費電力を低減させるために、間欠受信（Ｄｉｓｃｏｎｔｉｎｕｏｕｓ  Ｒｅｃｅｐｔｉｏｎ、ＤＲＸ）伝送メカニズムを提案し、ネットワーク装置は端末装置にＤＲＸサイクル（Ｃｙｃｌｅ）を設定し、ＤＲＸ  Ｃｙｃｌｅはオンデュレーション期間（Ｏｎ  Ｄｕｒａｔｉｏｎ）とスリープ期間（Ｏｐｐｏｒｔｕｎｉｔｙ  ｆｏｒ  ＤＲＸ）からなり、Ｏｎ  Ｄｕｒａｔｉｏｎ期間内に、端末装置はＰＤＣＣＨをモニタリングして受信し、Ｏｐｐｏｒｔｕｎｉｔｙ  ｆｏｒ  ＤＲＸ期間内に、端末装置は消費電力を減少させるようにＰＤＣＣＨを受信しない。ネットワーク装置は端末装置にＤＲＸメカニズムを設定したが、端末装置は周期的に現れるＯｎ  Ｄｕｒａｔｉｏｎ期間内に機会的にスケジューリングされ、ひいては端末装置のサービス負荷が非常に低い場合、端末装置は少数のＤＲＸ  Ｃｙｃｌｅ内にしかスケジューリングされない。さらなる最適化の余裕がある。
【手続補正１２】
【補正対象書類名】明細書
【補正対象項目名】００４５
【補正方法】変更
【補正の内容】
【００４５】
従来の関連技術では、ネットワーク装置はＤＲＸ  Ｃｙｃｌｅ内のＯｎ  Ｄｕｒａｔｉｏｎ期間内に端末装置をスケジューリングする必要がある場合、ネットワーク装置はＤＲＸ  Ｃｙｃｌｅの前に端末装置に指示信号、例えば端末装置をウェイクアップするためのウェイクアップ信号を送信し、そうでない場合、端末装置に該指示信号を送信しない。端末装置は該ウェイクアップ信号を検出した後、起動してＤＲＸ  ＣｙｃｌｅのＯｎ  Ｄｕｒａｔｉｏｎ期間内に物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）の検出及びデータ受信を行う。しかしながら、複数の端末装置が同一のＤＲＸ  Ｃｙｃｌｅを有するが、これらの複数の端末装置がＯｎ  Ｄｕｒａｔｉｏｎ期間内にネットワーク装置のスケジューリングを同時に受信する可能性が非常に小さい場合、従来の関連技術の方法を採用すると、ネットワーク装置がＤＲＸ  Ｃｙｃｌｅの前にこれらの複数の端末装置に同一の指示信号を送信し、これらの複数の端末装置が指示信号を受信した後、いずれも起動してＯｎ  Ｄｕｒａｔｉｏｎ期間内にＰＤＣＣＨ検出を行うと、データ伝送がない端末装置による不必要な消費電力を招いてしまう。
【手続補正１３】
【補正対象書類名】明細書
【補正対象項目名】００５０
【補正方法】変更
【補正の内容】
【００５０】
具体的に、Ｓ１１０では端末装置が少なくとも１つのターゲットＤＲＸ指示信号のみを確定する場合、端末装置とネットワーク装置はＤＲＸ指示信号を送信するための時間周波数リソース位置を予め約束でき、Ｓ１２０では端末装置は約束した時間周波数リソース位置でネットワーク装置が送信したＤＲＸ指示信号を検出し、ターゲットＤＲＸ指示信号が検出されると、ターゲットＤＲＸ指示信号の指示に従ってターゲット挙動を実行する。又は、Ｓ１１０では端末装置が少なくとも１つのターゲットＤＲＸ指示信号の占有する時間周波数リソース位置のみを確定する場合、Ｓ１２０では端末装置は確定した時間周波数リソース位置でネットワーク装置が送信したＤＲＸ指示信号を検出し、ネットワーク装置の送信したＤＲＸ指示信号が検出されると、ＤＲＸ指示信号に従ってターゲット挙動を実行する。又は、Ｓ１１０では端末装置が少なくとも１つのターゲットＤＲＸ指示信号及び前記少なくとも１つのターゲットＤＲＸ指示信号の占有する時間周波数リソース位置を確定する場合、Ｓ１２０では端末装置は確定した前記少なくとも１つのターゲットＤＲＸ指示信号の占有する時間周波数リソース位置でネットワーク装置が送信した信号を検出し、前記少なくとも１つのターゲットＤＲＸ指示信号のうちの１つのターゲットＤＲＸ指示信号が検出されると、端末装置はターゲットＤＲＸ指示信号の指示に従ってターゲット挙動を実行する。
【手続補正１４】
【補正対象書類名】明細書
【補正対象項目名】００５１
【補正方法】変更
【補正の内容】
【００５１】
選択肢として、Ｓ１１０では、端末装置は前記端末装置を識別するための第１特徴識別情報に基づき、前記少なくとも１つのターゲットＤＲＸ指示信号を確定する。ここで、第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含む。
【手続補正１５】
【補正対象書類名】明細書
【補正対象項目名】００５６
【補正方法】変更
【補正の内容】
【００５６】
選択肢として、Ｓ１１０では、端末装置は、前記端末装置を識別するための第２特徴識別情報に基づき、前記少なくとも１つのターゲットＤＲＸ指示信号の占有する時間周波数リソース位置を確定する。ここでの第２特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含む。
【手続補正１６】
【補正対象書類名】明細書
【補正対象項目名】００６５
【補正方法】変更
【補正の内容】
【００６５】
理解可能なのは、上記端末装置が設定情報に基づき少なくとも１つのターゲットＤＲＸ指示信号及び／又は前記少なくとも１つのターゲットＤＲＸ指示信号の占有する時間周波数リソース位置を確定する方法は、端末装置がＲＲＣ接続状態にある場合に適用できる。この場合に、ネットワーク装置は端末装置のサービス特徴、伝送遅延要求、ネットワーク負荷状況等の情報に基づいて、端末装置にターゲットＤＲＸ指示信号及び／又はターゲットＤＲＸ指示信号の占有する時間周波数リソース位置を設定してもよい。
【手続補正１７】
【補正対象書類名】明細書
【補正対象項目名】００６９
【補正方法】変更
【補正の内容】
【００６９】
以上、図１を参照して端末装置側から本願の実施例に係る間欠受信用の方法を詳細に説明したが、以下、図２を参照してネットワーク装置側から本願の実施例に係る間欠受信用の方法を詳細に説明する。理解すべきなのは、ネットワーク装置側から説明されるネットワーク装置と端末装置とのインタラクションは端末装置側の説明と同様であるため、重複を避けるために、関連説明を適宜省略する。
【手続補正１８】
【補正対象書類名】明細書
【補正対象項目名】００７０
【補正方法】変更
【補正の内容】
【００７０】
図２は本願の別の実施例に係る間欠受信用の方法を示す。図２に示すように、方法２００はステップＳ２１０〜Ｓ２２０を含む。
【手続補正１９】
【補正対象書類名】明細書
【補正対象項目名】００７１
【補正方法】変更
【補正の内容】
【００７１】
Ｓ２１０、ネットワーク装置は複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定し、前記少なくとも１つのターゲットＤＲＸ指示信号は前記少なくとも１つのターゲットＤＲＸ指示信号を受信した後の１つのＤＲＸサイクル内にターゲット挙動を実行するように端末装置に指示することに用いられる。
【手続補正２０】
【補正対象書類名】明細書
【補正対象項目名】００７３
【補正方法】変更
【補正の内容】
【００７３】
従って、本願に係る間欠受信用の方法によれば、ネットワーク装置は少なくとも１つのターゲットＤＲＸ指示信号及び／又は少なくとも１つのターゲットＤＲＸ指示信号の占有する時間周波数リソース位置を確定し、確定されたターゲットＤＲＸ指示信号及び／又は少なくとも１つのターゲットＤＲＸの占有する時間周波数リソース位置に基づき、端末装置に前記少なくとも１つのターゲットＤＲＸ指示信号のうちの１つのターゲットＤＲＸ指示信号を送信する。それにより、端末装置はネットワーク装置の送信したＤＲＸ指示信号にそれ自体によって確定されたターゲットＤＲＸ指示信号が含まれることを検出した場合にのみ、ターゲットＤＲＸ指示信号の指示に従ってターゲット挙動を実行することができる。端末装置が各ＤＲＸサイクルのオンデュレーション期間（Ｏｎ  Ｄｕｒａｔｉｏｎ）内に起動してダウンリンク制御チャネルを検出することによる不必要な消費電力を回避できる。そしてネットワーク装置は端末装置レベル又は端末装置グループレベルの指示信号の送信を実現でき、それによりネットワーク装置はＯｎ  Ｄｕｒａｔｉｏｎ期間における端末装置の可能なスケジューリング状況に応じて端末装置に対して高精度のＤＲＸ制御を行うことができ、端末装置の消費電力を更に低減させる。
【手続補正２１】
【補正対象書類名】明細書
【補正対象項目名】００７４
【補正方法】変更
【補正の内容】
【００７４】
具体的に、Ｓ２１０では、ネットワーク装置が少なくとも１つのターゲットＤＲＸ指示信号のみを確定する場合、端末装置とネットワーク装置はＤＲＸ指示信号を送信するための時間周波数リソース位置を予め約束でき、Ｓ２２０ではネットワーク装置は約束した時間周波数リソース位置で端末装置に前記少なくとも１つのターゲットＤＲＸ指示信号のうちの１つのターゲットＤＲＸ指示信号を送信する。又は、Ｓ２１０ではネットワーク装置が少なくとも１つのターゲットＤＲＸ指示信号の占有する時間周波数リソース位置のみを確定する場合、Ｓ２２０ではネットワーク装置は前記少なくとも１つのターゲットＤＲＸ指示信号の占有する時間周波数リソース位置のうちの１つのターゲットＤＲＸ指示信号の占有する時間周波数リソース位置で端末装置にターゲットＤＲＸ指示信号を送信する。又は、Ｓ２１０ではネットワーク装置が少なくとも１つのターゲットＤＲＸ指示信号及び前記少なくとも１つのターゲットＤＲＸ指示信号の占有する時間周波数リソース位置を確定する場合、Ｓ２２０ではネットワーク装置は確定した１つのターゲットＤＲＸ指示信号の占有する時間周波数リソース位置で端末装置に１つのターゲットＤＲＸ指示信号を送信する。
【手続補正２２】
【補正対象書類名】明細書
【補正対象項目名】００７５
【補正方法】変更
【補正の内容】
【００７５】
本願の実施例では、選択肢として、Ｓ２１０は、前記端末装置を識別するための第１特徴識別情報に基づき前記少なくとも１つのターゲットＤＲＸ指示信号を確定することを含む。
【手続補正２３】
【補正対象書類名】明細書
【補正対象項目名】００８３
【補正方法】変更
【補正の内容】
【００８３】
Ｓ２３０、前記ネットワーク装置は設定情報を確定し、前記設定情報は前記端末装置が前記少なくとも１つのターゲットＤＲＸ指示信号及び／又は前記少なくとも１つのターゲットＤＲＸ指示信号の占有する時間周波数リソース位置を確定することに用いられる。
【手続補正２４】
【補正対象書類名】明細書
【補正対象項目名】００８９
【補正方法】変更
【補正の内容】
【００８９】
従って、本願の実施例に係る端末装置は少なくとも１つのターゲットＤＲＸ指示信号及び／又は少なくとも１つのターゲットＤＲＸ指示信号の占有する時間周波数リソース位置を確定し、確定されたターゲットＤＲＸ指示信号及び／又はターゲットＤＲＸ指示信号の占有する時間周波数リソース位置に基づき、ネットワーク装置が送信したＤＲＸ指示信号を検出する。それにより、端末装置はネットワーク装置の送信したＤＲＸ指示信号にそれ自体によって確定されたターゲットＤＲＸ指示信号が含まれることを検出した場合にのみ、ターゲットＤＲＸ指示信号の指示に従ってターゲット挙動を実行することができる。端末装置が各ＤＲＸサイクルのオンデュレーション期間内に起動してダウンリンク制御チャネルを検出することによる不必要な消費電力を回避できる。
【手続補正２５】
【補正対象書類名】明細書
【補正対象項目名】００９５
【補正方法】変更
【補正の内容】
【００９５】
本願の実施例では、選択肢として、前記第２特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含む。
【手続補正２６】
【補正対象書類名】明細書
【補正対象項目名】０１０２
【補正方法】変更
【補正の内容】
【０１０２】
処理モジュール２１は、複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定することに用いられ、前記少なくとも１つのターゲットＤＲＸ指示信号は前記少なくとも１つのターゲットＤＲＸ指示信号を受信した後の１つのＤＲＸサイクル内にターゲット挙動を実行するように端末装置に指示することに用いられる。
【手続補正２７】
【補正対象書類名】明細書
【補正対象項目名】０１０４
【補正方法】変更
【補正の内容】
【０１０４】
従って、本願の実施例に係るネットワーク装置は少なくとも１つのターゲットＤＲＸ指示信号及び／又は少なくとも１つのターゲットＤＲＸ指示信号の占有する時間周波数リソース位置を確定し、確定されたターゲットＤＲＸ指示信号及び／又は少なくとも１つのターゲットＤＲＸ指示信号の占有する時間周波数リソース位置に基づき、端末装置に前記少なくとも１つのターゲットＤＲＸ指示信号のうちの１つのターゲットＤＲＸ指示信号を送信する。それにより、端末装置はネットワーク装置の送信したＤＲＸ指示信号にそれ自体によって確定されたターゲットＤＲＸ指示信号が含まれることを検出した場合にのみ、ターゲットＤＲＸ指示信号の指示に従ってターゲット挙動を実行することができる。端末装置が各ＤＲＸサイクルのオンデュレーション期間内に起動してダウンリンク制御チャネルを検出することによる不必要な消費電力を回避できる。そしてネットワーク装置は端末装置レベル又は端末装置グループレベルの指示信号の送信を実現でき、それによりネットワーク装置はＯｎ  Ｄｕｒａｔｉｏｎ期間における端末装置の可能なスケジューリング状況に応じて端末装置に対して高精度のＤＲＸ制御を行うことができ、端末装置の消費電力を更に低減させる。
【手続補正２８】
【補正対象書類名】明細書
【補正対象項目名】０１０５
【補正方法】変更
【補正の内容】
【０１０５】
本願の実施例では、選択肢として、前記処理モジュール２１は具体的に、前記端末装置を識別するための第１特徴識別情報に基づき、前記少なくとも１つのターゲットＤＲＸ指示信号を確定することに用いられる。
【手続補正２９】
【補正対象書類名】明細書
【補正対象項目名】０１１２
【補正方法】変更
【補正の内容】
【０１１２】
本願の実施例では、選択肢として、前記処理モジュール２１は更に、設定情報を確定することに用いられ、前記設定情報は前記端末装置が前記少なくとも１つのターゲットＤＲＸ指示信号及び／又は前記少なくとも１つのターゲットＤＲＸ指示信号の占有する時間周波数リソース位置を確定することに用いられ、
前記送受信モジュール２２は更に、前記端末装置に前記設定情報を送信することに用いられる。
【手続補正３０】
【補正対象書類名】明細書
【補正対象項目名】０１１６
【補正方法】変更
【補正の内容】
【０１１６】
図６は本願の別の実施例に係る端末装置を示す。図６に示すように、端末装置１００はプロセッサ１１０及び送受信機１２０を備え、プロセッサ１１０と送受信機１２０が接続され、選択肢として、該端末装置１００はメモリ１３０を更に備え、メモリ１３０がプロセッサ１１０に接続される。プロセッサ１１０、メモリ１３０及び送受信機１２０は内部接続通路を介して相互に通信することができる。前記プロセッサ１１０は、複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定することに用いられ、前記少なくとも１つのターゲットＤＲＸ指示信号は前記送受信機１２０が前記少なくとも１つのターゲットＤＲＸ指示信号を受信した後の１つのＤＲＸサイクル内にターゲット挙動を実行するように前記プロセッサ１１０に指示することに用いられ、前記プロセッサ１１０は更に、前記少なくとも１つのターゲットＤＲＸ指示信号及び／又は前記少なくとも１つのターゲットＤＲＸ指示信号の占有する時間周波数リソース位置に基づき、ネットワーク装置が送信したＤＲＸ指示信号を検出することに用いられる。
【手続補正３１】
【補正対象書類名】明細書
【補正対象項目名】０１１７
【補正方法】変更
【補正の内容】
【０１１７】
従って、本願の実施例に係る端末装置は少なくとも１つのターゲットＤＲＸ指示信号及び／又は少なくとも１つのターゲットＤＲＸ指示信号の占有する時間周波数リソース位置を確定し、確定されたターゲットＤＲＸ指示信号及び／又はターゲットＤＲＸ指示信号の占有する時間周波数リソース位置に基づきネットワーク装置が送信したＤＲＸ指示信号を検出する。それにより、端末装置はネットワーク装置の送信したＤＲＸ指示信号にそれ自体によって確定されたターゲットＤＲＸ指示信号が含まれることを検出した場合にのみ、ターゲットＤＲＸ指示信号の指示に従ってターゲット挙動を実行することができる。端末装置が各ＤＲＸサイクルのオンデュレーション期間Ｏｎ  Ｄｕｒａｔｉｏｎ内に起動してダウンリンク制御チャネルを検出することによる不必要な消費電力を回避できる。
【手続補正３２】
【補正対象書類名】明細書
【補正対象項目名】０１１９
【補正方法】変更
【補正の内容】
【０１１９】
図７は本願の別の実施例に係るネットワーク装置の模式的なブロック図を示し、図７に示すように、ネットワーク装置２００はプロセッサ２１０及び送受信機２２０を備え、プロセッサ２１０と送受信機２２０が接続され、選択肢として、前記ネットワーク装置２００はメモリ２３０を更に備え、メモリ２３０がプロセッサ２１０に接続される。プロセッサ２１０、メモリ２３０及び送受信機２２０は内部接続通路を介して相互に通信することができる。前記プロセッサ２１０は、複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定することに用いられ、前記少なくとも１つのターゲットＤＲＸ指示信号は前記少なくとも１つのターゲットＤＲＸ指示信号を受信した後の１つのＤＲＸサイクル内にターゲット挙動を実行するように端末装置に指示することに用いられ、前記送受信機２２０は、前記少なくとも１つのターゲットＤＲＸ指示信号及び／又は前記少なくとも１つのターゲットＤＲＸ指示信号の占有する時間周波数リソース位置に基づき、前記端末装置に前記少なくとも１つのターゲットＤＲＸ指示信号のうちの１つのターゲットＤＲＸ指示信号を送信することに用いられる。
【手続補正３３】
【補正対象書類名】特許請求の範囲
【補正対象項目名】全文
【補正方法】変更
【補正の内容】
【特許請求の範囲】
【請求項１】
端末装置は複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定し、前記少なくとも１つのターゲットＤＲＸ指示信号は前記少なくとも１つのターゲットＤＲＸ指示信号を受信した後の１つのＤＲＸサイクル内にターゲット挙動を実行するように前記端末装置に指示することに用いられることと、
前記端末装置は前記少なくとも１つのターゲットＤＲＸ指示信号及び／又は前記少なくとも１つのターゲットＤＲＸ指示信号の占有する時間周波数リソース位置に基づき、ネットワーク装置が送信したＤＲＸ指示信号を検出することと、を含むことを特徴とする間欠受信用の方法。
【請求項２】
前記複数の間欠受信ＤＲＸ指示信号のうちの少なくとも１つのターゲットＤＲＸ指示信号を確定することは、
前記端末装置を識別するための第１特徴識別情報に基づき、前記少なくとも１つのターゲットＤＲＸ指示信号を確定することを含むことを特徴とする請求項１に記載の方法。
【請求項３】
前記第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含むことを特徴とする請求項２に記載の方法。
【請求項４】
前記複数の間欠受信ＤＲＸ指示信号のうちの少なくとも１つのターゲットＤＲＸ指示信号を確定することは、
前記端末装置が位置するセルの識別子に基づき、前記少なくとも１つのターゲットＤＲＸ指示信号を確定することを含むことを特徴とする請求項１〜３のいずれか一項に記載の方法。
【請求項５】
前記端末装置が前記少なくとも１つのターゲットＤＲＸ指示信号の占有する時間周波数リソース位置を確定することを更に含むことを特徴とする請求項２〜４のいずれか一項に記載の方法。
【請求項６】
前記ネットワーク装置が送信した設定情報を受信することを更に含み、
前記複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定することは、
前記設定情報に基づき、前記少なくとも１つのターゲットＤＲＸ指示信号及び／又は前記少なくとも１つのターゲットＤＲＸ指示信号の占有する時間周波数リソース位置を確定することを含むことを特徴とする請求項１に記載の方法。
【請求項７】
前記ネットワーク装置が送信した設定情報を受信することは、
前記ネットワーク装置が送信した、前記設定情報を含む無線リソース制御ＲＲＣシグナリングを受信することを含むことを特徴とする請求項６に記載の方法。
【請求項８】
前記設定情報は、前記端末装置の識別子、前記端末装置が属する端末装置グループの識別子、前記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスのうちの１種を含むことを特徴とする請求項６又は７に記載の方法。
【請求項９】
ネットワーク装置は複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定し、前記少なくとも１つのターゲットＤＲＸ指示信号は前記少なくとも１つのターゲットＤＲＸ指示信号を受信した後の１つのＤＲＸサイクル内にターゲット挙動を実行するように端末装置に指示することに用いられることと、
前記ネットワーク装置は前記少なくとも１つのターゲットＤＲＸ指示信号及び／又は前記少なくとも１つのターゲットＤＲＸ指示信号の占有する時間周波数リソース位置に基づき、前記端末装置に前記少なくとも１つのターゲットＤＲＸ指示信号のうちの１つのターゲットＤＲＸ指示信号を送信することと、を含むことを特徴とする間欠受信用の方法。
【請求項１０】
前記複数の間欠受信ＤＲＸ指示信号のうちの少なくとも１つのターゲットＤＲＸ指示信号を確定することは、
前記端末装置を識別するための第１特徴識別情報に基づき、前記少なくとも１つのターゲットＤＲＸ指示信号を確定することを含むことを特徴とする請求項９に記載の方法。
【請求項１１】
前記第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含むことを特徴とする請求項１０に記載の方法。
【請求項１２】
端末装置であって、送受信モジュール及び処理モジュールを備え、
前記処理モジュールは、複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定することに用いられ、前記少なくとも１つのターゲットＤＲＸ指示信号は、前記送受信モジュールが前記少なくとも１つのターゲットＤＲＸ指示信号を受信した後の１つのＤＲＸサイクル内にターゲット挙動を実行するように前記処理モジュールに指示することに用いられ、
前記処理モジュールは更に、前記少なくとも１つのターゲットＤＲＸ指示信号及び／又は前記少なくとも１つのターゲットＤＲＸ指示信号の占有する時間周波数リソース位置に基づき、ネットワーク装置が送信したＤＲＸ指示信号を検出することに用いられることを特徴とする端末装置。
【請求項１３】
前記処理モジュールは具体的に、
前記端末装置を識別するための第１特徴識別情報に基づき、前記少なくとも１つのターゲットＤＲＸ指示信号を確定することに用いられることを特徴とする請求項１２に記載の端末装置。
【請求項１４】
前記第１特徴識別情報は、前記端末装置の識別子、前記端末装置が属する端末装置グループの識別子、前記端末装置のカバレッジ拡張等級及び前記端末装置のネットワークアクセス等級のうちの少なくとも１種を含むことを特徴とする請求項１３に記載の端末装置。
【請求項１５】
前記処理モジュールは具体的に、
前記端末装置が位置するセルの識別子に基づき、前記少なくとも１つのターゲットＤＲＸ指示信号を確定することに用いられることを特徴とする請求項１２〜１４のいずれか一項に記載の端末装置。
【請求項１６】
前記処理モジュールは更に、前記少なくとも１つのターゲットＤＲＸ指示信号の占有する時間周波数リソース位置を確定することに用いられることを特徴とする請求項１３〜１５のいずれか一項に記載の端末装置。
【請求項１７】
前記送受信モジュールは更に、前記ネットワーク装置が送信した設定情報を受信することに用いられ、
前記処理モジュールは具体的に、前記設定情報に基づき、前記少なくとも１つのターゲットＤＲＸ指示信号及び／又は前記少なくとも１つのターゲットＤＲＸ指示信号の占有する時間周波数リソース位置を確定することに用いられることを特徴とする請求項１２に記載の端末装置。
【請求項１８】
前記送受信モジュールは具体的に、前記ネットワーク装置が送信した、前記設定情報を含む無線リソース制御ＲＲＣシグナリングを受信することに用いられることを特徴とする請求項１７に記載の端末装置。
【請求項１９】
前記設定情報は、前記端末装置の識別子、前記端末装置が属する端末装置グループの識別子、前記少なくとも１つのターゲットＤＲＸ指示信号のインデックス、前記少なくとも１つのターゲットＤＲＸ指示信号の占有する時間周波数リソース位置、及び前記少なくとも１つのターゲットＤＲＸ指示信号の占有する時間周波数リソース位置のインデックスのうちの１種を含むことを特徴とする請求項１７又は１８に記載の端末装置。
【請求項２０】
複数の間欠受信ＤＲＸ指示信号のうちの少なくとも１つのターゲットＤＲＸ指示信号及び／又は前記少なくとも１つのターゲットＤＲＸ指示信号の占有する時間周波数リソース位置を確定することに用いられ、前記少なくとも１つのターゲットＤＲＸ指示信号は前記少なくとも１つのターゲットＤＲＸ指示信号を受信した後の１つのＤＲＸサイクル内にターゲット挙動を実行するように端末装置に指示することに用いられる処理モジュールと、
前記少なくとも１つのターゲットＤＲＸ指示信号及び／又は前記少なくとも１つのターゲットＤＲＸ指示信号の占有する時間周波数リソース位置に基づき、前記端末装置に前記少なくとも１つのターゲットＤＲＸ指示信号のうちの１つのターゲットＤＲＸ指示信号を送信することに用いられる送受信モジュールと、を備えることを特徴とするネットワーク装置。
【請求項２１】
前記処理モジュールは更に、設定情報を確定することに用いられ、前記設定情報は前記端末装置が前記少なくとも１つのターゲットＤＲＸ指示信号及び／又は前記少なくとも１つのターゲットＤＲＸ指示信号の占有する時間周波数リソース位置を確定することに用いられ、
前記送受信モジュールは更に、前記端末装置に前記設定情報を送信することに用いられることを特徴とする請求項２０に記載のネットワーク装置。
【請求項２２】
前記送受信モジュールは具体的に、
前記設定情報を含む無線リソース制御ＲＲＣシグナリングを前記端末装置に送信することに用いられることを特徴とする請求項２１に記載のネットワーク装置。
【手続補正３４】
【補正対象書類名】図面
【補正対象項目名】図３
【補正方法】変更
【補正の内容】
【図３】
2020519113.tif 000010
【国際調査報告】
2020519113.tif 000011
2020519113.tif 000012
2020519113.tif 000013
2020519113.tif 000014